(57)【特許請求の範囲】
【請求項１】
水分を吸着及び脱離する吸着材を有しており、前記吸着材との接触により調湿された調湿空気を室内へ供給する調湿装置であって、
表面に前記吸着材が設けられた吸着熱交換器（７１、７２、１７１、１７２）を有しており、前記吸着材の加熱及び冷却の少なくとも一方を行うための冷媒が流れる調湿側冷媒回路（１０ｃ、１１０ｃ）と、
前記調湿側冷媒回路を構成する機器が収容される調湿装置ケーシング（８１）と、
を備え、
前記調湿装置ケーシングは、ユニット本体（４１）と前記ユニット本体の下側に配置される化粧パネル（４２）とを有しており、空気を取り込んで熱交換を行い室内へ供給する天井埋込型空気調和ユニット（３、１０３）の前記ユニット本体と前記化粧パネルと上下方向間に設けられており、
前記ユニット本体には、空気を取り込むための温調側吸気口（４７ｅ）と、内部に前記温調側吸気口を通じて空気を取り込むための温調側送風ファン（４６）と、前記温調側吸気口を囲むように配置されており空気を室内に供給するための温調側給気口（４７ａ、４７ｂ、４７ｃ、４７ｄ）と、が設けられており、
前記化粧パネルには、前記温調側吸気口に連通するパネル吸気口（４９ｅ）と、前記パネル吸気口を囲むように配置されており前記温調側給気口に連通するパネル給気口（４９ａ、４９ｂ、４９ｃ、４９ｄ）と、が設けられており、
前記調湿装置ケーシングの前記温調側吸気口に対向する面には、調湿空気を室内へ供給するための調湿側給気口（８２ａ、８２ｂ）が、前記温調側吸気口に連通するように設けられており、
前記調湿装置ケーシングの前記調湿側給気口が形成された面とは反対側の面には、空気を取り込むための調湿側吸気口（８４ａ、８４ｂ）が設けられており、
前記調湿装置ケーシングの側面には、室外空気を取り込むための調湿側室外空気吸気口（８５）と、排出空気を排出するための調湿側排気口（８６）とが設けられており、
前記調湿装置ケーシングには、前記吸着熱交換器を収容しており前記調湿側給気口及び前記調湿側吸気口を通じて外部と連通する熱交換器室（Ｓ１、Ｓ２）と、前記熱交換器室の一側面側に配置されており前記調湿側室外空気吸気口を通じて外部と連通するとともに前記熱交換器室との間に形成された流入側開口（８８ａ、８８ｂ）によって前記熱交換器室と連通する流入室（Ｓ３）と、前記熱交換器室の他側面側に配置されており前記調湿側排気口を通じて外部と連通するとともに前記熱交換器室との間に形成された流出側開口（８７ａ、８７ｂ）によって前記熱交換器室と連通する流出室（Ｓ４）とが形成されており、
前記流入側開口、前記流出側開口及び前記調湿側給気口のそれぞれを開閉する開閉機構（９１ａ〜９１ｆ）が設けられており、
前記調湿装置ケーシングには、前記温調側吸気口及び前記パネル吸気口と連通する調湿側吸気連通開口（８１ｅ）と、前記温調側給気口及び前記パネル給気口と連通する調湿側給気連通開口（８１ａ、８１ｂ、８１ｃ、８１ｄ）と、が設けられている、
調湿装置（７、１０７）。
【請求項２】
前記熱交換器室（Ｓ１、Ｓ２）は、前記調湿装置ケーシング（８１）の平面視において、前記調湿側吸気連通開口（８１ｅ）に隣り合うように設けられている、請求項１に記載の調湿装置（７、１０７）。
【請求項３】
前記吸着熱交換器（７１、７２、１７１、１７２）は、前記熱交換器室（Ｓ１、Ｓ２）内の空間を、前記流入側開口（８８ａ、８８ｂ）及び前記調湿側吸気口（８４ａ、８４ｂ）に面する第１空間と、前記流出側開口（８７ａ、８７ｂ）及び前記調湿側給気口（８２ａ、８２ｂ）に面する第２空間とに仕切るように配置されている、請求項１又は２に記載の調湿装置（７、１０７）。
【請求項４】
前記流出室（Ｓ４）には、前記流出室から前記調湿側排気口（８６）を通じて排出空気を排気するための調湿側排気ファン（９０）が設置されている、
請求項１〜３のいずれかに記載の調湿装置（７、１０７）。
【請求項５】
前記流入室（Ｓ３）には、外部から前記調湿側室外空気吸気口（８５）を通じて室外空気を前記流入室に流入させるための調湿側吸気ファン（８９）が設置されている、請求項４に記載の調湿装置（７、１０７）。
【請求項６】
第１空気と第２空気とを取り込んで、第１の吸着熱交換器（７１、１７１）に前記第１空気中の水分を吸着させて第２の吸着熱交換器（７２、１７２）から脱離させた水分を前記第２空気に付与する動作と、第２の吸着熱交換器に前記第１空気中の水分を吸着させて第１の吸着熱交換器から脱離させた水分を前記第２空気に付与する動作とを交互に行い、
前記吸着熱交換器（７１、７２、１７１、１７２）において除湿された前記第１空気と加湿された前記第２空気のいずれか一方を室内に供給し他方を室外へ排出することが可能である、
請求項１〜５のいずれかに記載の調湿装置（７、１０７）。
【請求項７】
前記調湿用冷媒回路（１０ｃ）は、前記第１及び第２吸着熱交換器（７１、７２）のうち、前記第１空気を除湿する一方が蒸発器として機能し、前記第２空気を加湿する他方が凝縮器として機能するように、冷媒の流通方向が切換可能になっている、請求項６に記載の調湿装置（７）。
【請求項８】
前記調湿用冷媒回路（１１０ｃ）は、前記第１及び第２吸着熱交換器（１７１、１７２）のうち、前記第１空気を除湿する一方が蒸発器として機能し、前記第２空気を加湿する他方には冷媒が流入しないように、冷媒の流通方向が切換可能になっている、請求項６に記載の調湿装置（１０７）。
【請求項９】
前記調湿用冷媒回路（１１０ｃ）は、前記第１及び第２吸着熱交換器（１７１、１７２）のうち、前記第２空気を加湿する一方が凝縮器として機能し、前記第１空気を除湿する他方には冷媒が流入しないように、冷媒の流通方向が切換可能になっている、請求項６に記載の調湿装置（１０７）。
【請求項１０】
前記第１空気及び前記第２空気のいずれか一方としての室外空気と、前記第１空気及び前記第２空気のいずれか他方としての室内空気とを取り込んで、取り込んだ室外空気を前記吸着材との接触により調湿してから調湿空気として室内に供給するとともに、取り込んだ室内空気を排出空気として室外へ排出する運転が可能になっている、請求項６〜９のいずれかに記載の調湿装置（７、１０７）。
【請求項１１】
前記第１空気及び前記第２空気のいずれか一方としての室内空気を取り込んで、取り込んだ室内空気を前記吸着材との接触により調湿してから調湿空気として室内に供給する運転が可能になっている、請求項６〜９のいずれかに記載の調湿装置（７、１０７）。
【請求項１２】
室外空気だけを取り込んで、前記第１空気及び前記第２空気のいずれか一方としての取り込んだ室外空気の一部を吸着材との接触により除湿して、前記第１空気及び前記第２空気のいずれか他方としての室外空気の残りを前記吸着剤から脱離した水分により加湿し、除湿された室外空気と加湿された室外空気の一方を調湿空気として室内へ供給して他方を排出空気として室外へ排出する運転が可能になっている、請求項６〜９のいずれかに記載の調湿装置（７、１０７）。
【請求項１３】
室内空気だけを取り込んで、前記第１空気及び前記第２空気のいずれか一方としての取り込んだ室内空気の一部を吸着材との接触により除湿して、前記第１空気及び前記第２空気のいずれか他方としての室内空気の残りを前記吸着剤から脱離した水分により加湿し、除湿された室内空気と加湿された室内空気の一方を調湿空気として室内へ供給して他方を排出空気として室外へ排出する運転が可能になっている、請求項６〜９のいずれかに記載の調湿装置（７、１０７）。
【請求項１４】
前記天井埋込型空気調和ユニット（３、１０３）は、利用側熱交換器（３２、１３２）を有する利用側冷媒回路（１０ｂ、１１０ｂ）を含んでおり、圧縮機（２１、１２１）と熱源側熱交換器（２３、１２３）とを有する熱源側冷媒回路（１０ａ、１１０ａ）を含む熱源ユニット（２、１０２）に冷媒連絡配管（５、６、１０５、１０６）を介して接続されることで、空気調和システム（１、１０１）の冷媒回路（１０、１１０）を構成しており、
前記調湿用冷媒回路（１０ｃ、１１０ｃ）は、前記利用側冷媒回路又は前記冷媒連絡配管に接続されている、
請求項１〜１３のいずれかに記載の調湿装置（７、１０７）。
【請求項１５】
圧縮機（２１、１２１）と熱源側熱交換器（２３、１２３）とを有する熱源側冷媒回路（１０ａ、１１０ａ）を含む熱源ユニット（２、１０２）と、
利用側熱交換器（３２、１３２）を有する利用側冷媒回路（１０ｂ、１１０ｂ）を含む天井埋込型空気調和ユニット（３、１０３）と、
前記熱源ユニットと前記天井埋込型空気調和ユニットとを接続する冷媒連絡配管（５、６、１０５、１０６）と、
請求項１４に記載の調湿装置（７、１０７）と、
を備えた空気調和システム（１、１０１）。
【発明の詳細な説明】
【技術分野】
【０００１】
本発明は、調湿装置及びそれを備えた空気調和システム、特に、水分を吸着及び脱離する吸着材を有しており吸着材との接触により調湿された調湿空気を室内へ供給する調湿装置及びそれを備えた空気調和システムに関する。
【背景技術】
【０００２】
従来より、天井埋込型空気調和ユニットとして、例えば、天井裏空間等に配置され吊り下げ支持される本体と、本体の下面に取り付けられる化粧パネルとから構成されているものがある。このような天井埋込型空気調和装置は、圧縮機や熱源側熱交換器を有する熱源ユニットに冷媒連絡配管を介して接続されており、化粧パネルに設けられた吸気グリル及び本体下面の温調側吸気口を通じて本体内に室内空気を取り込み、冷媒連絡配管を介して熱源ユニットとの間を循環する冷媒と本体内に取り込まれた室内空気との熱交換を行った後に室内に供給することができる。
【０００３】
このような天井埋込型空気調和ユニットには、必要に応じて任意に取り付け可能な給水式の加湿装置が設けられることがある。このような加湿装置は、天井埋込型空気調和ユニットの本体側面に設けられる。
【発明の開示】
【発明が解決しようとする課題】
【０００４】
しかし、上述のような加湿装置では、給水配管が必要となり、また、天井埋込型空気調和ユニットの本体側面に設けられることから、設置上の制約が多いという問題がある。
【０００５】
本発明の課題は、給水配管を設けることなく除加湿が可能で、かつ、コンパクトに天井埋込型空気調和ユニットに設けることが可能な調湿装置を提供することにある。
【課題を解決するための手段】
【０００６】
第１の発明にかかる調湿装置は、水分を吸着及び脱離する吸着材を有しており、吸着材との接触により調湿された調湿空気を室内へ供給する調湿装置であって、表面に吸着材が設けられた吸着熱交換器を有しており、吸着材の加熱及び冷却の少なくとも一方を行うための冷媒が流れる調湿側冷媒回路と、調湿側冷媒回路を構成する機器が収容される調湿装置ケーシングとを備えている。調湿装置ケーシングは、ユニット本体とユニット本体の下側に配置される化粧パネルとを有しており空気を取り込んで熱交換を行い室内へ供給する天井埋込型空気調和ユニットのユニット本体と化粧パネルと上下方向間に設けられている。ユニット本体には、空気を取り込むための温調側吸気口と、内部に温調側吸気口を通じて空気を取り込むための温調側送風ファンと、温調側吸気口を囲むように配置されており空気を室内に供給するための温調側給気口と、が設けられている。化粧パネルには、温調側吸気口に連通するパネル吸気口と、パネル吸気口を囲むように配置されており温調側給気口に連通するパネル給気口と、が設けられている。調湿装置ケーシングの温調側吸気口に対向する面には、調湿空気を室内へ供給するための調湿側給気口が、温調側吸気口に連通するように設けられている。調湿装置ケーシングの調湿側給気口が形成された面とは反対側の面には、空気を取り込むための調湿側吸気口が設けられている。調湿装置ケーシングの側面には、室外空気を取り込むための調湿側室外空気吸気口と、排出空気を排出するための調湿側排気口とが設けられている。調湿装置ケーシングには、吸着熱交換器を収容しており調湿側給気口及び調湿側吸気口を通じて外部と連通する熱交換器室と、熱交換器室の一側面側に配置されており調湿側室外空気吸気口を通じて外部と連通するとともに熱交換器室との間に形成された流入側開口によって熱交換器室と連通する流入室と、熱交換器室の他側面側に配置されており調湿側排気口を通じて外部と連通するとともに熱交換器室との間に形成された流出側開口によって熱交換器室と連通する流出室とが形成されている。流入側開口、流出側開口及び調湿側給気口のそれぞれを開閉する開閉機構が設けられている。調湿装置ケーシングには、温調側吸気口及びパネル吸気口と連通する調湿側吸気連通開口と、温調側給気口及びパネル給気口と連通する調湿側給気連通開口と、が設けられている。
【０００７】
この調湿装置では、吸着材の加熱及び冷却の少なくとも一方を行うための冷媒が流れる調湿側冷媒回路を有しているため、空気と吸着材とが接触して、両者の間で水分の授受が行われて空気の湿度調節を行うことができる。また、この調湿装置は、天井埋込型空気調和ユニットの本体と化粧パネルとの上下方向間に設けられるため、従来の天井埋込型空気調和ユニットの本体側面に設ける場合と比べてコンパクトに設置することができる。これにより、給水配管を設けることなく除加湿が可能で、かつ、コンパクトに天井埋込型空気調和ユニットに設けることが可能にできる。
【０００８】
また、この調湿装置では、吸着熱交換器に吸着材を設けているため、吸着材を冷媒によって効率よく加熱し又は冷却することができる。これにより、吸着材と空気の間で授受される水分の量を増大させることができ、調湿装置の能力向上あるいは調湿装置のコンパクト化が促進される。
【０００９】
また、この調湿装置では、調湿空気を室内へ供給するための調湿側給気口が、温調側吸気口に連通するように調湿装置ケーシングの温調側吸気口に対向する面に設けられているため、調湿装置において得られた調湿空気を室内に供給するためのダクト等が不要となり、コンパクト化が促進される。しかも、調湿空気が天井埋込型空気調和ユニットを通じて室内に供給されるようになるため、室内を快適な状態に調節することが容易になる。さらに、調湿空気を天井埋込型空気調和ユニットに送る際に、温調側送風ファンを利用することも可能になる。
【００１０】
また、この調湿装置では、室外空気を取り込むための調湿側室外空気吸気口と排出空気を排出するための調湿側排気口とが、調湿装置ケーシングの側面に設けられているため、ダクト等への接続が容易である。
【００１１】
また、この調湿装置では、流入室と流出室とが熱交換器室の高さ方向に重ならないように配置されているため、高さ方向のサイズのコンパクト化が促進される。また、調湿側吸気口には、開閉機構が設けられていないため、部品点数を少なくすることができる。
【００１２】
さらに、この調湿装置では、調湿側吸気連通開口が設けられているため、天井埋込型空気調和ユニットが温調側吸気口から空気を直接取り込むことができる。
【００１３】
第２の発明にかかる調湿装置は、第１の発明にかかる調湿装置において、熱交換器室は、調湿装置ケーシングの平面視において、調湿側吸気連通開口に隣り合うように設けられている。
【００１４】
この調湿装置では、熱交換器室が調湿側吸気連通開口に隣り合うように設けられているため、調湿側給気口及び調湿側吸気口も調湿側吸気連通開口の近くに配置されることになる。これにより、空気が調湿側吸気口を通じてスムーズに取り込まれるようになり、また、調湿空気が調湿側給気口から空調側吸気口を通じて天井埋込型空気調和ユニットにスムーズに供給されるようになる。
【００１５】
第３の発明にかかる調湿装置は、第１又は第２の発明にかかる調湿装置において、吸着熱交換器は、熱交換器室内の空間を、流入側開口及び調湿側吸気口に面する第１空間と、流出側開口及び調湿側給気口に面する第２空間とに仕切るように配置されている。
【００１６】
この調湿装置では、流入側開口を通じて熱交換器室内に流入する室外空気が吸着熱交換器を通過した後に天井埋込型空気調和ユニット又は流出室に流入するようにできるとともに、調湿側吸気口を通じて熱交換器室内に流入する室内空気が吸着熱交換器を通過した後に天井埋込型空気調和ユニット又は流出室に流入するようにできる。
【００１７】
第４の発明にかかる調湿装置は、第１〜第３の発明のいずれかにかかる調湿装置において、流出室には、流出室から調湿側排気口を通じて排出空気を排気するための調湿側排気ファンが設置されている。
【００１８】
この調湿装置では、自ら外部に排出空気を排気する運転を行うことができる。
【００１９】
第５の発明にかかる調湿装置は、第４の発明にかかる調湿装置において、流入室には、外部から調湿側室外空気吸気口を通じて室外空気を流入室に流入させるための調湿側吸気ファンが設置されている。
【００２０】
この調湿装置では、自ら室外空気を取り込む運転を行うことができる。
【００２１】
第６の発明にかかる調湿装置は、第１〜第５の発明のいずれかにかかる調湿装置において、第１空気と第２空気とを取り込んで、第１の吸着熱交換器に第１空気中の水分を吸着させて第２の吸着熱交換器から脱離させた水分を第２空気に付与する動作と、第２の吸着熱交換器に第１空気中の水分を吸着させて第１の吸着熱交換器から脱離させた水分を第２空気に付与する動作とを交互に行い、吸着熱交換器において除湿された第１空気と加湿された第２空気のいずれか一方を室内に供給し他方を室外へ排出することが可能である。
【００２２】
この調湿装置では、調湿側冷媒回路に吸着熱交換器が複数設けられ、２つの動作を交互に繰り返す。一方の動作では、第１の吸着熱交換器で第１空気が除湿され、第２の吸着熱交換器で第２空気が加湿される。他方の動作では、第２の吸着熱交換器で第１空気が除湿され、第１の吸着熱交換器で第２空気が加湿される。つまり、各吸着熱交換器において第１空気の除湿と第２空気の加湿とが交互に行われる。そして、吸着熱交換器を通過した第１空気と第２空気の一方を室内へ供給して他方を室外へ排出する。すなわち、この調湿装置は、第１及び第２の吸着熱交換器の一方が水分を吸着する間に他方が再生されるバッチ式の動作を行うようにしている。これにより、除湿された第１空気と加湿された第２空気とを連続的に生成し、得られた第１空気又は第２空気を継続して室内へ供給することが可能になる。
【００２３】
第７の発明にかかる調湿装置は、第６の発明にかかる調湿装置において、調湿用冷媒回路は、第１及び第２吸着熱交換器のうち、第１空気を除湿する一方が蒸発器として機能し、第２空気を加湿する他方が凝縮器として機能するように、冷媒の流通方向が切換可能になっている。
【００２４】
この調湿装置では、第１及び第２の吸着熱交換器のうち第１空気を除湿する方が蒸発器となって第２空気を加湿する方が凝縮器となる。このため、蒸発器となっている吸着熱交換器では、冷媒によって吸着剤が冷却され、吸着材に対する空気中の水分の吸着が促進される。また、凝縮器となっている吸着熱交換器では、冷媒によって吸着材が加熱され、吸着剤からの水分の脱離が促進される。これにより、吸着材への水分の吸着と吸着材からの水分の脱離との両方を促進でき、調湿装置の能力向上あるいは調湿装置のコンパクト化が促進される。
【００２５】
第８の発明にかかる調湿装置は、第６の発明にかかる調湿装置において、調湿用冷媒回路は、第１及び第２吸着熱交換器のうち、第１空気を除湿する一方が蒸発器として機能し、第２空気を加湿する他方には冷媒が流入しないように、冷媒の流通方向が切換可能になっている。
【００２６】
この調湿装置では、第１及び第２の吸着熱交換器の一方が蒸発器となって他方が休止する動作と他方が蒸発器となって一方が休止する動作とを交互に繰り返す。蒸発器となっている吸着熱交換器では、通過する空気中の水分が吸着材に吸着され、その際に生じた吸着熱が冷媒に吸熱される。一方、冷媒が供給されない休止中の吸着熱交換器では、通過する空気と接触した吸着材から水分が脱離する。これにより、吸着熱交換器に対する冷媒の導入を断続するだけで吸着動作と再生動作の切り換えが可能となる。
【００２７】
第９の発明にかかる調湿装置は、第６の発明にかかる調湿装置において、調湿用冷媒回路は、第１及び第２吸着熱交換器のうち、第２空気を加湿する一方が凝縮器として機能し、第１空気を除湿する他方には冷媒が流入しないように、冷媒の流通方向が切換可能になっている。
【００２８】
この調湿装置では、第１及び第２の吸着熱交換器の一方が凝縮器となって他方が休止する動作と他方が凝縮器となって一方が休止する動作とを交互に繰り返す。冷媒が供給されない休止中の吸着熱交換器では、通過する空気中の水分を吸着材が吸着する。一方、凝縮器となっている吸着熱交換器では、冷媒によって加熱された吸着材から水分が脱離し、通過する空気に吸着材から脱離した水分が付与される。これにより、吸着熱交換器に対する冷媒の導入を断続するだけで吸着動作と再生動作の切り換えが可能となる。
【００２９】
第１０の発明にかかる調湿装置は、第６〜第９の発明のいずれかにかかる調湿装置において、第１空気及び第２空気のいずれか一方としての室外空気と、第１空気及び第２空気のいずれか他方としての室内空気とを取り込んで、取り込んだ室外空気を吸着材との接触により調湿してから調湿空気として室内に供給するとともに、取り込んだ室内空気を排出空気として室外へ排出する運転が可能になっている。
【００３０】
この調湿装置では、取り込んだ室外空気を除湿し又は加湿してから室内へ供給すると共に、取り込んだ室内空気を室外へ排出する運転を行う。すなわち、この運転では、調湿された室外空気が室内へ供給されると同時に、室内の換気が行われる。
【００３１】
第１１の発明にかかる調湿装置は、第６〜第９の発明のいずれかにかかる調湿装置において、第１空気及び第２空気のいずれか一方としての室内空気を取り込んで、取り込んだ室内空気を吸着材との接触により調湿してから調湿空気として室内に供給する運転が可能になっている。
【００３２】
この調湿装置では、取り込んだ室内空気を除湿し又は加湿してから室内へ供給する運転が可能となっている。すなわち、この運転では、取り込まれた室内空気は、調湿された後に室内へ送り返される。
【００３３】
第１２の発明にかかる調湿装置は、第６〜第９の発明のいずれかにかかる調湿装置において、室外空気だけを取り込んで、第１空気及び第２空気のいずれか一方としての取り込んだ室外空気の一部を吸着材との接触により除湿して、第１空気及び第２空気のいずれか他方としての室外空気の残りを吸着材から脱離した水分により加湿し、除湿された室外空気と加湿された室外空気の一方を調湿空気として室内へ供給して他方を排出空気として室外へ排出する運転が可能になっている。
【００３４】
この調湿装置では、室外空気だけを取り込み、取り込んだ室外空気の一部を除湿して残りを加湿する運転が可能となっている。この運転中、除湿された一部の室外空気と加湿された残りの室外空気のうち一方を室内へ供給して他方を室外へ排出する。すなわち、この運転では、調湿した室外空気を室内へ供給するが、室内から室外への排気は行わない。
【００３５】
第１３の発明にかかる調湿装置は、第６〜第９の発明のいずれかにかかる調湿装置において、室内空気だけを取り込んで、第１空気及び第２空気のいずれか一方としての取り込んだ室内空気の一部を吸着材との接触により除湿して、第１空気及び第２空気のいずれか他方としての室内空気の残りを吸着材から脱離した水分により加湿し、除湿された室内空気と加湿された室内空気の一方を調湿空気として室内へ供給して他方を排出空気として室外へ排出する運転が可能になっている。
【００３６】
この調湿装置では、室内空気だけを取り込み、取り込んだ室内空気の一部を除湿して残りを加湿する運転が可能となっている。この運転中、除湿された一部の室内空気と加湿された残りの室内空気のうち一方を室内へ供給して他方を室外へ排出する。すなわち、この運転では、調湿した室内空気を室内へ供給するが、室外から室内への給気は行わない。
【００３７】
第１４の発明にかかる調湿装置は、第１〜第１３の発明のいずれかにかかる調湿装置において、天井埋込型空気調和ユニットは、利用側熱交換器を有する利用側冷媒回路を含んでおり、圧縮機と熱源側熱交換器とを有する熱源側冷媒回路を含む熱源ユニットに冷媒連絡配管を介して接続されることで、空気調和システムの冷媒回路を構成している。そして、調湿用冷媒回路は、利用側冷媒回路又は冷媒連絡配管に接続されている。
【００３８】
この調湿装置では、空気調和システムの冷媒回路を有効に利用できるとともに、調湿装置単体で圧縮機を必要としないため、コンパクト化が促進される。
【００３９】
第１５の発明にかかる空気調和システムは、圧縮機と熱源側熱交換器とを有する熱源側冷媒回路を含む熱源ユニットと、利用側熱交換器を有する利用側冷媒回路を含む天井埋込型空気調和ユニットと、熱源ユニットと天井埋込型空気調和ユニットとを接続する冷媒連絡配管と、第１４の発明にかかる調湿装置とを備えている。
【００４０】
この空気調和システムでは、給水配管を設けることなく除加湿が可能で、かつ、コンパクトに天井埋込型空気調和ユニットに設けることが可能な調湿装置を備えているため、容易かつ安価に設置することができる。
【発明の効果】
【００４１】
以上の説明に述べたように、本発明によれば、以下の効果が得られる。
【００４２】
第１の発明では、給水配管を設けることなく除加湿が可能で、かつ、コンパクトに天井埋込型空気調和ユニットに設けることが可能にできる。また、調湿装置の能力向上あるいは調湿装置のコンパクト化が促進される。また、調湿装置のコンパクト化が促進される。しかも、室内を快適な状態に調節することが容易になり、また、温調側送風ファンを利用することも可能になる。また、ダクト接続が容易である。また、高さ方向のサイズのコンパクト化が促進され、部品点数を少なくすることができる。さらに、温調側吸気口から室内空気を直接取り込むことができる。
【００４３】
第２の発明では、空気が調湿側吸気口を通じてスムーズに取り込まれるようになり、また、調湿空気が調湿側給気口から温調側吸気口を通じて天井埋込型空気調和ユニットにスムーズに供給されるようになる。
【００４４】
第３の発明では、流入側開口を通じて熱交換器室内に流入する室外空気が吸着熱交換器を通過した後に天井埋込型空気調和ユニット又は流出室に流入するようにできるとともに、調湿側吸気口を通じて熱交換器室内に流入する空気が吸着熱交換器を通過した後に天井埋込型空気調和ユニット又は流出室に流入するようにできる。
【００４５】
第４の発明では、自ら外部に排出空気を排気する運転を行うことができる。
【００４６】
第５の発明では、自ら室外空気を取り込む運転を行うことができる。
【００４７】
第６の発明では、除湿された第１空気と加湿された第２空気とを連続的に生成し、得られた第１空気又は第２空気を継続して室内へ供給することが可能になる。
【００４８】
第７の発明では、吸着材への水分の吸着と吸着材からの水分の脱離との両方を促進でき、調湿装置の能力向上あるいは調湿装置のコンパクト化が促進される。
【００４９】
第８の発明では、吸着熱交換器に対する冷媒の導入を断続するだけで吸着動作と再生動作の切り換えが可能となる。
【００５０】
第９の発明では、吸着熱交換器に対する冷媒の導入を断続するだけで吸着動作と再生動作の切り換えが可能となる。
【００５１】
第１０の発明では、調湿された室外空気が室内へ供給されると同時に、室内の換気が行われる。
【００５２】
第１１の発明では、取り込まれた室内空気が調湿された後に室内へ送り返される。
【００５３】
第１２の発明では、調湿した室外空気を室内へ供給するが、室内から室外への排気は行わない。
【００５４】
第１３の発明では、調湿した室内空気を室内へ供給するが、室外から室内への給気は行わない。
【００５５】
第１４の発明では、空気調和システムの冷媒回路を有効に利用できるとともに、コンパクト化が促進される。
【００５６】
第１５の発明では、容易かつ安価に設置することができる。
【発明を実施するための最良の形態】
【００５７】
以下、本発明にかかる調湿装置及びそれを備えた空気調和システムの実施形態について、図面に基づいて説明する。
【００５８】
＜第１実施形態＞
本発明の第１実施形態にかかる調湿装置７及びそれを備えた空気調和システム１について説明する。本実施形態の空気調和システム１は、湿度及び温度調節した空調空気ＳＡ２を室内へ供給するものである。
【００５９】
（１）空気調和システムの全体構成
まず、本実施形態の空気調和システム１の全体構成について、図１を用いて説明する。ここで、図１は、空気調和システム１の冷媒回路１０を示す概略冷媒回路図である。
【００６０】
空気調和システム１は、主として、熱源ユニット２と、利用ユニット３と、熱源ユニット２と利用ユニット３とを接続する冷媒連絡配管５、６とを備えている。また、空気調和システム１には、調湿装置７が接続されている。ここでは、１台の熱源ユニット２に対して、利用ユニット３と調湿装置７を１台ずつ接続することで冷媒回路１０が形成されている。尚、熱源ユニット２に接続される利用ユニット３と調湿装置７の台数は、必ずしも１台ずつである必要はなく、複数台であってもよい。また、利用ユニット３と調湿装置７の台数が多い場合には、熱源ユニット２を複数台にしてもよい。
【００６１】
（２）熱源ユニット
次に、熱源ユニット２について、図１を用いて説明する。
【００６２】
熱源ユニット２には、冷媒回路１０の一部を構成する熱源側冷媒回路１０ａが収容されている。熱源側冷媒回路１０ａは、主として、圧縮機２１と、熱源側四路切換弁２２と、熱源側熱交換器２３と、熱源側膨張弁２４と、液側閉鎖弁２５と、ガス側閉鎖弁２６とを有している。
【００６３】
圧縮機２１は、冷媒を圧縮するための機器である。ここでは、圧縮機２１は１台の圧縮機であるが、これに限定されず、複数台であってもよい。
【００６４】
熱源側四路切換弁２２は、圧縮機２１の吐出側に接続される第１ポート２２ａと、圧縮機２１の吸入側に接続される第２ポート２２ｂと、熱源側熱交換器２３のガス側に接続される第３ポート２２ｃと、ガス側閉鎖弁２６に接続される第４ポート２２ｄとを有しており、第１ポート２２ａと第３ポート２２ｃが連通するとともに第２ポート２２ｂと第４ポート２２ｄが連通する冷房運転状態（図１の熱源側四路切換弁２２における実線を参照）と、第１ポート２２ａと第４ポート２２ｄが連通するとともに第２ポート２２ｂと第３ポート２２ｃが連通する暖房運転状態（図１の熱源側四路切換弁２２における破線を参照）とに切り換え可能な弁である。
【００６５】
熱源側熱交換器２３は、空気や水を熱源として冷媒と熱交換を行うための機器である。
【００６６】
熱源側膨張弁２４は、一端が熱源側熱交換器２３の液側に接続されており、他端が液側閉鎖弁２５に接続されており、運転状態に応じて開度が調節されて冷媒を減圧することが可能な弁である。
【００６７】
また、熱源ユニット２は、熱源ユニット２を構成する各部の動作を制御する熱源側制御部２７を備えている。そして、熱源側制御部２７は、熱源ユニット２の制御を行うために設けられたマイクロコンピュータやメモリを有しており、利用ユニット３の利用側制御部３５や調湿装置７の調湿側制御部７５との間で制御信号等のやりとりを行うことができるようになっている。
【００６８】
（３）利用ユニット
次に、利用ユニット３について、図１〜図４を用いて説明する。ここで、図２は、空気調和システム１を構成する利用ユニット３及び利用ユニット３に設けられた調湿装置７の外観斜視図である。図３は、空気調和システム１を構成する利用ユニット３及び利用ユニット３に設けられた調湿装置７の概略側面断面図である。図４は、空気調和システム１を構成する利用ユニット３の概略平面断面図である。
【００６９】
利用ユニット３には、冷媒回路１０の一部を構成する利用側冷媒回路１０ｂが収容されている。利用側冷媒回路１０ｂは、主として、利用側膨張弁３１と、利用側熱交換器３２とを有している。
【００７０】
利用側膨張弁３１は、一端が利用側熱交換器３２の液側に接続されており、他端が冷媒連絡配管５を介して液側閉鎖弁２５に接続されており、運転状態に応じて開度が調節されて冷媒を減圧することが可能な弁である。
【００７１】
利用側熱交換器３２は、そのガス側が冷媒連絡配管６を介してガス側閉鎖弁２６に接続されており、室内空気と冷媒との熱交換を行うための機器である。
【００７２】
次に、利用ユニット３のユニット構成について説明する。
【００７３】
利用ユニット３は、室内空気を取り込んで熱交換を行い室内へ供給する天井埋込型空気調和ユニットであり、主として、ケーシング４３とケーシング４３内に収納される各種構成機器とからなるユニット本体４１と、ユニット本体４１の下側に配置される化粧パネル４２とを有している。ここでは、ユニット本体４１の下面に調湿装置７が設けられているため、ユニット本体４１と化粧パネル４２とは上下に間隔を空けて配置されているが、調湿装置７が設けられない場合には、ユニット本体４１の下面に化粧パネル４２が設けられる。ユニット本体４１は、空調室の天井Ｕに形成された開口Ｈに挿入されて、天井裏空間に配置されている。そして、化粧パネル４２は、開口Ｈを下方から覆うように配置されている。
【００７４】
ケーシング４３は、その平面視において、長辺と短辺とが交互に形成された略８角形状の下面が開口した箱状体であり、長辺と短辺とが交互に連続して形成された略８角形状の天板４４と、天板４４の周縁部から下方に延びる側板４５とを有している。側板４５は、天板４４の長辺に対応する側板４５ａ、４５ｂ、４５ｃ、４５ｄと、天板４４の短辺に対応する側板４５ｅ、４５ｆ、４５ｇ、４５ｈとから構成されている。尚、側板４５ｈは、利用側熱交換器３２と熱源ユニット２（図１参照）との間で冷媒をやりとりするための冷媒配管が貫通する部分を構成しており、他の側板４５ｅ、４５ｆ、４５ｇとは異なる形状となっている。
【００７５】
ケーシング４３の内部には、主として、室内空気ＲＡを化粧パネル４２のパネル吸気口４９ｅを通じてケーシング４３内に吸入して外周方向に吹き出す温調側送風ファン４６と、温調側送風ファン４６の外周を囲むように配置された利用側熱交換器３２とが配置されている。
【００７６】
温調側送風ファン４６は、ここでは、ターボファンであり、ケーシング４３の天板４４の中央内面に設けられたファンモータ４６ａと、ファンモータ４６ａに連結されて回転駆動される羽根車４６ｂとを有している。
【００７７】
利用側熱交換器３２は、ここでは、温調側送風ファン４６の外周を囲むように曲げられて形成されたクロスフィンチューブ型の熱交換器パネルであり、冷媒連絡配管５、６を介して熱源ユニット２（図１参照）に接続されている。
【００７８】
利用側熱交換器３２の下側には、利用側熱交換器３２において空気中の水分が凝縮されて生じるドレン水を受けるためのドレンパン４７が配置されている。ドレンパン４７は、ケーシング４３の下部に装着されている。ドレンパン４７は、利用側熱交換器３２の下側に形成されドレン水を受けるドレン水受け溝４７ｆと、温調側送風ファン４６の羽根車４６ｂに対応するように形成された温調側吸気口としての吸気孔４７ｅと、ケーシング４３の各側板４５ａ、４５ｂ、４５ｃ、４５ｄの内面に沿って形成された細長く延びる略長方形状の開口からなる温調側給気口としての給気孔４７ａ、４７ｂ、４７ｃ、４７ｄとを有している。
【００７９】
また、ドレンパン４７の吸気孔４７ｅには、調湿装置７が設けられない場合には化粧パネル４２のパネル吸気口４９ｅから吸入される室内空気を、調湿装置７が設けられる場合には室内空気及び調湿空気を、温調側送風ファン４６の羽根車４６ｂへ案内するためのベルマウス４８が配置されている。
【００８０】
化粧パネル４２は、平面視が略４角形状の板状体であり、主として、パネル本体４９から構成されている。パネル本体４９は、調湿装置７が設けられない場合にはドレンパン４７の下面及び／又は利用ユニット３のケーシング４３の側板４５に、調湿装置７が設けられる場合には調湿装置７の底板８４及び／又は調湿装置７の側板８３に固定されている。
【００８１】
パネル本体４９は、主として、その略中央に空調室内の空気を吸入するパネル吸気口４９ｅと、パネル吸気口４９ｅを囲むように各辺に対応して形成されたパネル給気口４９ａ、４９ｂ、４９ｃ、４９ｄとを有している。パネル吸気口４９ｅは、ここでは、略正方形状の開口である。各パネル給気口４９ａ、４９ｂ、４９ｃ、４９ｄは、パネル本体４９の各辺に沿って細長く延びる略長方形状の開口である。ここで、パネル吸気口４９ｅは、調湿装置７が設けられない場合にはドレンパン４７に形成された吸気孔４７ｅに、調湿装置７が設けられる場合には調湿装置７に形成された調湿側吸気連通開口８１ｅを介して吸気孔４７ｅに連通している。また、パネル給気口４９ａ、４９ｂ、４９ｃ、４９ｄは、調湿装置７が設けられない場合にはドレンパン４７に形成された給気孔４７ａ、４７ｂ、４７ｃ、４７ｄに、調湿装置７が設けられる場合には調湿装置７に形成された調湿側給気連通開口８１ａ、８１ｂ、８１ｃ、８１ｄを介して給気孔４７ａ、４７ｂ、４７ｃ、４７ｄに、それぞれ連通している。
【００８２】
パネル吸気口４９ｅには、パネル吸気口４９ｅから吸入される室内空気中に含まれる塵埃等を捕捉するためのフィルタ５０が、パネル吸気口４９ｅを覆うように配置されて固定されている。また、パネル本体４９には、フィルタ５０の下側に吸気グリル５１が装着されている。
【００８３】
パネル給気口４９ａ、４９ｂ、４９ｃ、４９ｄには、長手方向の軸周りに揺動可能な水平フラップ５２ａ、５２ｂ、５２ｃ、５２ｄがそれぞれ設けられている。水平フラップ５２ａ、５２ｂ、５２ｃ、５２ｄは、それぞれが対応するパネル給気口４９ａ、４９ｂ、４９ｃ、４９ｄの長手方向に細長く延びる略長方形状の羽根部材であり、パネル給気口４９ａ、４９ｂ、４９ｃ、４９ｄから空調室内に吹き出される空気の風向を可変することができる。
【００８４】
また、利用ユニット３は、利用ユニット３を構成する各部の動作を制御する利用側制御部３５を備えている。そして、利用側制御部３５は、利用ユニット３の制御を行うために設けられたマイクロコンピュータやメモリを有しており、熱源ユニット２の熱源側制御部２７や調湿装置７の調湿側制御部７５との間で制御信号等のやりとりを行うことができるようになっている。
【００８５】
（４）調湿装置
次に、調湿装置７について、図１〜図３、図５及び図６を用いて説明する。ここで、図５は、調湿装置７のユニット構成を示す斜視図である。図６は、調湿装置７のユニット構成を示す概略構成図であり、図６（Ａ）は調湿装置７のユニット内部を示す平面図、図６（Ｂ）は調湿装置７のユニット内部を左側から見た左側面図、図６（Ｃ）は調湿装置７のユニット内部を右側から見た右側面図、図６（Ｄ）は調湿装置７のユニット内部を前側から見た前面図、図６（Ｅ）は調湿装置７のユニット内部を後側から見た後面図である。尚、以下の説明において、「上」、「下」、「左」、「右」、「前」、「後」、「手前」、「奥」は、特にことわりのない限り、図６に示す調湿装置７を正面側（図６（Ａ）の下側）から見た場合の方向を意味している。
【００８６】
調湿装置７には、冷媒回路１０の一部を構成する調湿側冷媒回路１０ｃが収容されている。調湿側冷媒回路１０ｃは、主として、第１及び第２吸着熱交換器７１、７２と、調湿側膨張弁７３と、調湿側四路切換弁７４とを有している。調湿側冷媒回路１０ｃは、利用側冷媒回路１０ｂ又は冷媒連絡配管５、６に接続されている。ここでは、調湿側冷媒回路１０ｃの一端は、第１接続用閉鎖弁３３を介して、利用側冷媒回路１０ｂの液側端（すなわち、利用側膨張弁３１の液側端）又は冷媒連絡配管５に接続されている。また、調湿側冷媒回路１０ｃの他端は、第２接続用閉鎖弁３４を介して、利用側冷媒回路１０ｂのガス側端（すなわち、利用側熱交換器３２のガス側端）又は冷媒連絡配管６に接続されている。尚、ここでは、第１及び第２接続用閉鎖弁３３、３４は、利用ユニット３内に収容されているように図示されているが、これに限定されず、調湿装置７内に収容されていてもよいし、また、利用ユニット３にも調湿装置７にも収容されずに冷媒連絡配管５、６に設けられていてもよい。さらには、第１及び第２接続用閉鎖弁３３、３４を介さずに接続されていてもよい。
【００８７】
第１及び第２吸着熱交換器７１、７２は、表面に吸着材が設けられた熱交換器であり、ここでは、それぞれ、クロスフィン式のフィン・アンド・チューブ型熱交換器により構成されている。より具体的には、第１及び第２吸着熱交換器７１、７２は、長方形板状に形成されたアルミニウム製の多数のフィンと、これらのフィンを貫通する銅製の伝熱管とを備えている。各フィン及び伝熱管の外表面には、吸着材がディップ成形（浸漬成形）により担持されている。この吸着材としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００８８】
調湿側膨張弁７３は、第１吸着熱交換器７１の一端と第２吸着熱交換器７２の一端との間に接続されており、運転状態に応じて開度が調節されて冷媒を減圧することが可能な弁である。
【００８９】
調湿側四路切換弁７４は、第１接続用閉鎖弁３３（すなわち、利用側冷媒回路１０ｂの液側端又は冷媒連絡配管５）に接続される第１ポート７４ａと、第２接続用閉鎖弁３４（すなわち、利用側冷媒回路１０ｂのガス側端又は冷媒連絡配管６）に接続される第２ポート７４ｂと、第２吸着熱交換器７２の他端（すなわち、反膨張弁側端）に接続される第３ポート７４ｃと、第１吸着熱交換器７１の他端（すなわち、反膨張弁側端）に接続される第４ポート７４ｄとを有しており、第１ポート７４ａと第３ポート７４ｃが連通するとともに第２ポート７４ｂと第４ポート７４ｄが連通する第１切換状態（図１の調湿側四路切換弁７４における実線を参照）と、第１ポート７４ａと第４ポート７４ｄが連通するとともに第２ポート７４ｂと第３ポート７４ｃが連通する第２切換状態（図１の調湿側四路切換弁７４における破線を参照）とに切り換え可能な弁である。
【００９０】
以上のような調湿側冷媒回路１０ｃにおいて、調湿側四路切換弁７４が第１切換状態に切り換わると、第１吸着熱交換器７１が冷媒の蒸発器として機能し、第２吸着熱交換器７２が冷媒の凝縮器として機能する。一方、調湿側四路切換弁７４が第２切換状態に切り換わると、第１吸着熱交換器７１が冷媒の凝縮器として機能し、第２吸着熱交換器７２が冷媒の蒸発器として機能する。
【００９１】
次に、調湿装置７のユニット構成について説明する。
【００９２】
調湿装置７は、例えば、室外空気ＯＡを取り込んで調湿空気ＳＡとして室内に供給すると同時に、室内空気ＲＡを取り込んで排出空気ＥＡとして室外に排出するような給排気運転が可能な調湿装置である。調湿装置７は、上述の調湿側冷媒回路１０ｃを構成する機器が収容されたユニット８０からなる調湿装置であり、主として、水平方向に扁平な多角形箱状のケーシング８１を備えている。調湿装置７は、利用ユニット３のユニット本体４１の下面に設けられており、さらにその下側に化粧パネル４２が設けられることで、利用ユニット３と一体になっている。調湿装置７は、利用ユニット３のユニット本体４１と同様に、空調室の天井Ｕに形成された開口Ｈに挿入されて、天井裏空間に配置されている。
【００９３】
ケーシング８１は、その平面視において、利用ユニット３のユニット本体４１のケーシング４３の形状と同様、長辺と短辺とが交互に形成された略８角形状の箱状体であり、長辺と短辺とが交互に連続して形成された略８角形状の天板８２と、天板８２の周縁部から下方に延びる側板８３と、側板８３の下端に沿う略８角形状の底板８４とを有している。側板８３は、天板８２の長辺に対応する側板８３ａ、８３ｂ、８３ｃ、８３ｄと、天板８２の短辺に対応する側板８３ｅ、８３ｆ、８３ｇ、８３ｈとから構成されている。ケーシング８１には、底板８４から天板８２に向かって貫通する調湿側給気連通開口８１ａ、８１ｂ、８１ｃ、８１ｄが、ドレンパン４７の給気孔４７ａ、４７ｂ、４７ｃ、４７ｄのそれぞれに対応するように形成されている。また、ケーシング８１には、底板８４から天板８２に向かって貫通する調湿側吸気連通開口８１ｅが、ドレンパン４７の吸気孔４７ｅに対応するように形成されている。
【００９４】
前側板８３ａの右側に配置された右前側板８３ｆには、室外空気ＯＡを取り入れるための調湿側室外空気吸気口８５が形成されている。前側板８３ａの左側に配置された左前側板８３ｅには、排出空気ＥＡを室外へ排出するための調湿側排気口８６が形成されている。
【００９５】
ケーシング８１の内部には、平面視において、調湿側給気連通開口８１ａ、８１ｂ、８１ｃ、８１ｄに囲まれ、かつ、調湿側吸気連通開口８１ｅを囲む略四角環状の空間が形成されている。この略四角環状の空間は、ケーシング８１内を前後方向に延びる第１及び第２仕切板８７、８８によって、調湿側吸気連通開口８１ｅの後側の第１熱交換器室Ｓ１と、調湿側吸気連通開口８１ｅの前側の第２熱交換器室Ｓ２と、第１及び第２熱交換器室Ｓ１、Ｓ２の右側において前後方向に延びる流入室Ｓ３と、第１及び第２熱交換器室Ｓ１、Ｓ２の左側において前後方向に延びる流出室Ｓ４とに仕切られている。すなわち、第１及び第２熱交換器室Ｓ１、Ｓ２は、ケーシング８１の平面視において、調湿側吸気連通開口８１ｅに隣り合うように設けられている。また、流入室Ｓ３は第１及び第２熱交換器室Ｓ１、Ｓ２の一側面側に配置され、流出室Ｓ４は第１及び第２熱交換器室Ｓ１、Ｓ２の他側面側に配置されている。
【００９６】
流入室Ｓ３の前部は、調湿側給気連通開口８１ａと調湿側給気連通開口８１ｂとの間の部分を横切るようにして右前側板８３ｆに向かって延びており、調湿側室外空気吸気口８５を介して室外に連通している。また、流出室Ｓ４の前部は、調湿側給気連通開口８１ａと調湿側給気連通開口８１ｄとの間の部分を横切るようにして左前側板８３ｅに向かって延びており、調湿側排気口８６を介して室外に連通している。流入室Ｓ３には、外部から調湿側室外空気吸気口８５を通じて室外空気ＯＡを流入室Ｓ３に流入させるための調湿側吸気ファン８９が設置されている。調湿側吸気ファン８９は、調湿側給気連通開口８１ａと調湿側給気連通開口８１ｂとの間のケーシング８１の角部に配置されており、ケーシング８１の外部から室外空気ＯＡを流入室Ｓ３に押し込むように流入させるファンである。また、流出室Ｓ４には、流出室Ｓ４から調湿側排気口８６を通じて排出空気ＥＡを排気するための調湿側排気ファン９０が設置されている。調湿側排気ファン９０は、調湿側給気連通開口８１ａと調湿側給気連通開口８１ｄとの間のケーシング８１の角部に配置されており、流出室Ｓ４内から排出空気ＥＡをケーシング８１の外部に吸い出すように流出させるファンである。
【００９７】
天板８２には、第１及び第２熱交換器室Ｓ１、Ｓ２のそれぞれに対応するように、第１及び第２調湿側給気口８２ａ、８２ｂが形成されている。ここで、第１及び第２調湿側給気口８２ａ、８２ｂは、温調側吸気口としてのドレンパン４７の吸気孔４７ｅに対応するように形成されている。また、底板８４には、第１及び第２熱交換器室Ｓ１、Ｓ２のそれぞれに対応するように、調湿側吸気口としての第１及び第２調湿側室内空気吸気口８４ａ、８４ｂが形成されている。ここで、第１及び第２調湿側室内空気吸気口８４ａ、８４ｂは、化粧パネル４２のパネル吸気口４９ｅに対応するように形成されている。
【００９８】
また、第１仕切板８７には、第１及び第２熱交換器室Ｓ１、Ｓ２のそれぞれに対応するように、流出側開口としての第１及び第２左側開口８７ａ、８７ｂが形成されている。さらに、第２仕切板８８には、第１及び第２熱交換器室Ｓ１、Ｓ２のそれぞれに対応するように、流入側開口としての第１及び第２右側開口８８ａ、８８ｂが形成されている。
【００９９】
第１熱交換器室Ｓ１には、第１吸着熱交換器７１が配置されている。ここでは、第１吸着熱交換器７１は、第１仕切板８７の下端付近から第２仕切板８８の上端付近に向かって傾斜して配置されている。すなわち、第１吸着熱交換器７１は、第１熱交換器室Ｓ１を、第１右側開口８８ａ及び第１調湿側室内空気吸気口８４ａに面する第１空間としての下部空間と、第１左側開口８７ａ及び第１調湿側給気口８２ａに面する第２空間としての上部空間とに仕切るように配置されている。
【０１００】
第２熱交換器室Ｓ２には、第２吸着熱交換器７２が配置されている。ここでは、第２吸着熱交換器７２は、第１仕切板８７の下端付近から第２仕切板８８の上端付近に向かって傾斜して配置されている。すなわち、第２吸着熱交換器７２は、第２熱交換器室Ｓ２を、第２右側開口８８ｂ及び第２調湿側室内空気吸気口８４ｂに面する下部空間と、第２左側開口８７ｂ及び第２調湿側給気口８２ｂに面する上部空間とに仕切るように配置されている。
【０１０１】
また、第１及び第２左側開口８７ａ、８７ｂには、それぞれ、開閉機構としての開閉ダンパ９１ａ、９１ｂが設けられている。また、第１及び第２右側開口８８ａ、８８ｂには、それぞれ、開閉機構としての開閉ダンパ９１ｃ、９１ｄが設けられている。さらに、第１及び第２調湿側給気口８２ａ、８２ｂにも、それぞれ、開閉ダンパ９１ｅ、９１ｆが設けられている。ここでは、第１及び第２調湿側室内空気吸気口８４ａ、８４ｂには、開閉ダンパは設けられていない。また、これらの開閉ダンパ９１ａ〜９１ｆは、それぞれ、独立して開状態と閉状態とに切換可能となっている。
【０１０２】
そして、開閉ダンパ９１ａが開状態になると、第１左側開口８７ａを通じて流出室Ｓ４と第１熱交換器室Ｓ１の上部空間とが連通される。また、開閉ダンパ９１ｂが開状態になると、第２左側開口８７ｂを通じて流出室Ｓ４と第２熱交換器室Ｓ２の上部空間とが連通される。また、開閉ダンパ９１ｃが開状態になると、第１右側開口８８ａを通じて流入室Ｓ３と第１熱交換器室Ｓ１の下部空間とが連通される。また、開閉ダンパ９１ｄが開状態になると、第２右側開口８８ｂを通じて流入室Ｓ３と第２熱交換器室Ｓ２の下部空間とが連通される。また、開閉ダンパ９１ｅが開状態になると、第１調湿側給気口８２ａを通じてドレンパン４７の吸気孔４７ｅと第１熱交換器室Ｓ１の上部空間とが連通される。さらに、開閉ダンパ９１ｆが開状態になると、第２調湿側給気口８２ｂを通じてドレンパン４７の吸気孔４７ｅと第２熱交換器室Ｓ２の上部空間とが連通される。尚、第１及び第２調湿側室内空気吸気口８４ａ、８４ｂには開閉ダンパが設けられていないため、化粧パネル４２のパネル吸気口４９ｅ（すなわち、空調室内）と第１及び第２熱交換器室Ｓ１、Ｓ２の下部空間とは常に連通した状態となっている。
【０１０３】
また、調湿装置７は、調湿側冷媒回路１０ｃを構成する機器（具体的には、調湿側膨張弁７３や調湿側四路切換弁７４）、ファン８９、９０や開閉ダンパ９１ａ〜９１ｆの運転制御を行うための調湿側制御部７５を備えている（図１参照）。調湿側制御部７５は、調湿装置７の制御を行うために設けられたマイクロコンピュータやメモリを有しており、熱源ユニット２の熱源側制御部２７や利用ユニット３の利用側制御部３５との間で制御信号等のやりとりを行うことができるようになっている。
【０１０４】
以上のような構成を有する空気調和システム１では、後述のように、各種モードにおける冷房除湿運転や暖房加湿運転を行うことができるようになっている。尚、これらの運転制御は、熱源ユニット２の熱源側制御部２７と利用ユニット３の利用側制御部３５と調湿装置７の調湿側制御部７５とからなる制御部８によって行われる。
【０１０５】
（５）空気調和システムの動作
次に、本実施形態の空気調和システム１の運転動作について、図１〜図４及び図７〜図２６を用いて説明する。ここで、図７は、空気調和システム１の冷房除湿運転の第１動作及び第２動作を示す概略冷媒回路図である。図８は、調湿装置７の換気モードの除湿運転の第１動作における空気の流れを示す説明図である。図９は、調湿装置７の換気モードの除湿運転の第２動作における空気の流れを示す説明図である。図１０は、空気調和システム１の暖房加湿運転の第１動作及び第２動作を示す概略冷媒回路図である。図１１は、調湿装置７の換気モードの加湿運転の第１動作における空気の流れを示す説明図である。図１２は、調湿装置７の換気モードの加湿運転の第２動作における空気の流れを示す説明図である。図１３は、調湿装置７の循環モードの除湿運転の第１動作における空気の流れを示す説明図である。図１４は、調湿装置７の循環モードの除湿運転の第２動作における空気の流れを示す説明図である。図１５は、調湿装置７の循環モードの加湿運転の第１動作における空気の流れを示す説明図である。図１６は、調湿装置７の循環モードの加湿運転の第２動作における空気の流れを示す説明図である。図１７は、調湿装置７の給気モードの除湿運転の第１動作における空気の流れを示す説明図である。図１８は、調湿装置７の給気モードの除湿運転の第２動作における空気の流れを示す説明図である。図１９は、調湿装置７の給気モードの加湿運転の第１動作における空気の流れを示す説明図である。図２０は、調湿装置７の給気モードの加湿運転の第２動作における空気の流れを示す説明図である。図２１は、調湿装置７の排気モードの除湿運転の第１動作における空気の流れを示す説明図である。図２２は、調湿装置７の排気モードの除湿運転の第２動作における空気の流れを示す説明図である。図２３は、調湿装置７の排気モードの加湿運転の第１動作における空気の流れを示す説明図である。図２４は、調湿装置７の排気モードの加湿運転の第２動作における空気の流れを示す説明図である。
【０１０６】
空気調和システム１は、冷房除湿運転と暖房加湿運転とを行うことができる。空気調和システム１の冷房除湿運転中には、利用ユニット３が冷房運転を行い、調湿装置７が除湿運転を行う。また、空気調和システム１の暖房加湿運転中には、利用ユニット３が暖房運転を行い、調湿装置７が加湿運転を行う。尚、調湿装置７は、換気モード、循環モード、給気モード及び排気モードの４つのモードにおいて、除湿運転や加湿運転を行うことができる。そして、以下の説明では、換気モード、循環モード、給気モード及び排気モードの調湿装置７の各運転モードにおける冷房除湿運転及び暖房加湿運転について説明する。
【０１０７】
（Ａ）換気モードにおける冷房除湿運転
冷房除湿運転においては、熱源側四路切換弁２２が冷房運転状態に設定されるとともに、熱源側膨張弁２４が冷媒を極力減圧しない状態（例えば、全開）とされ、利用側膨張弁３１の開度が適宜調節される。この状態において、冷媒回路１０では、熱源側熱交換器２３が冷媒の凝縮器となり、利用側熱交換器３２が冷媒の蒸発器となる。すなわち、圧縮機２１から吐出されて熱源側四路切換弁２２（具体的には、第１ポート２２ａ及び第３ポート２２ｃ）を通過した冷媒は、熱源側熱交換器２３で凝縮してから、液側閉鎖弁２５及び冷媒連絡配管５を介して利用側膨張弁３１に送られる。この冷媒は、利用側膨張弁３１で減圧され、利用側熱交換器３２で蒸発した後に、冷媒連絡配管６、ガス側閉鎖弁２６及び熱源側四路切換弁２２（具体的には、第４ポート２２ｄ及び第２ポート２２ｂ）を介して、圧縮機２１へ吸入されて圧縮される（図７の熱源側冷媒回路１０ａ及び利用側冷媒回路１０ｂ及び冷媒連絡配管５、６に付された実線の矢印を参照）。
【０１０８】
また、冷房除湿運転においては、調湿側冷媒回路１０ｃの第１吸着熱交換器７１が冷媒の蒸発器となって第２吸着熱交換器７２が冷媒の凝縮器となる第１動作と、第２吸着熱交換器７２が冷媒の蒸発器となって第１吸着熱交換器７１が冷媒の凝縮器となる第２動作とが交互に繰り返される。より具体的には、第１動作では、調湿側四路切換弁７４が第１切換状態に設定され、調湿側膨張弁７３の開度が適宜調節される。この状態において、利用側冷媒回路１０ｂの液側端又は冷媒連絡配管５から第１接続用閉鎖弁３３を介して調湿側冷媒回路１０ｃへ流入した冷媒は、調湿側四路切換弁７４（具体的には、第１ポート７４ａ及び第３ポート７４ｃ）を介して第２吸着熱交換器７２に流入して凝縮された後に、調湿側膨張弁７３で減圧され、第１吸着熱交換器７１で蒸発した後に、調湿側四路切換弁７４（具体的には、第４ポート７４ｄ及び第２ポート７４ｂ）及び第２接続用閉鎖弁３４を介して利用側冷媒回路１０ｂのガス側端又は冷媒連絡配管６に戻される（図７の調湿側冷媒回路１０ｃに付された実線の矢印を参照）。第２動作では、調湿側四路切換弁７４が第２切換状態に設定され、調湿側膨張弁７３の開度が適宜調節される。この状態において、利用側冷媒回路１０ｂの液側端又は冷媒連絡配管５から第１接続用閉鎖弁３３を介して調湿側冷媒回路１０ｃへ流入した冷媒は、調湿側四路切換弁７４（具体的には、第１ポート７４ａ及び第４ポート７４ｄ）を介して第１吸着熱交換器７１に流入して凝縮された後に、調湿側膨張弁７３で減圧され、第２吸着熱交換器７２で蒸発した後に、調湿側四路切換弁７４（具体的には、第３ポート７４ｃ及び第２ポート７４ｂ）及び第２接続用閉鎖弁３４を介して利用側冷媒回路１０ｂのガス側端又は冷媒連絡配管６に戻される（図７の調湿側冷媒回路１０ｃに付された破線の矢印を参照）。
【０１０９】
換気モードにおいては、調湿装置７の調湿側吸気ファン８９及び調湿側排気ファン９０を運転することで、室外空気ＯＡをユニット８０内に調湿側室外空気吸気口８５を通じて吸入した後に調湿空気ＳＡ１として利用ユニット３に調湿側給気口８２ａ、８２ｂを通じて供給し、室内空気ＲＡをユニット８０内に調湿側室内空気吸気口８４ａ、８４ｂを通じて吸入した後に排出空気ＥＡとして調湿側排気口８６を通じて外部に排出する運転が行われる。そして、利用ユニット３では、温調側送風ファン４６を運転することで、ドレンパン４７の吸気孔４７ｅを通じてユニット本体４１内に調湿空気ＳＡ１を吸入し、この調湿空気ＳＡ１を温調した後に、空調空気ＳＡ２として室内に供給する運転が行われる。
【０１１０】
次に、換気モードにおける調湿装置７の除湿運転の第１動作について、図８を用いて詳細に説明する。尚、換気モードにおける除湿運転の第１動作では、開閉ダンパ９１ｂ、９１ｃ、９１ｅが開状態となり、開閉ダンパ９１ａ、９１ｄ、９１ｆが閉状態となる。
【０１１１】
この状態において、調湿側室外空気吸気口８５を通じて流入室Ｓ３に流入する第１空気としての室外空気ＯＡは、第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１で減湿された空気は、第１調湿側給気口８２ａより利用ユニット３に調湿空気ＳＡ１として供給される。
【０１１２】
一方、化粧パネル４２のパネル吸気口４９ｅ（図３参照）及び第２調湿側室内空気吸気口８４ｂを通じて第２熱交換器室Ｓ２の下部空間に流入する第２空気としての室内空気ＲＡは、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与されるとともに第２吸着熱交換器７２の吸着材が再生される。このようにして、第２吸着熱交換器７２の吸着材の再生に利用された空気は、第２左側開口８７ｂより流出室Ｓ４に流入する。そして、この空気は、調湿側排気口８６より排出空気ＥＡとして排出される。
【０１１３】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１１４】
次に、換気モードにおける調湿装置７の除湿運転の第２動作について、図９を用いて詳細に説明する。尚、換気モードにおける除湿運転の第２動作では、開閉ダンパ９１ａ、９１ｄ、９１ｆが開状態となり、開閉ダンパ９１ｂ、９１ｃ、９１ｅが閉状態となる。
【０１１５】
この状態において、調湿側室外空気吸気口８５を通じて流入室Ｓ３に流入する第１空気としての室外空気ＯＡは、第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２で減湿された空気は、第２調湿側給気口８２ｂより利用ユニット３に調湿空気ＳＡ１として供給される。
【０１１６】
一方、化粧パネル４２のパネル吸気口４９ｅ（図３参照）及び第１調湿側室内空気吸気口８４ａを通じて第１熱交換器室Ｓ１の下部空間に流入する第２空気としての室内空気ＲＡは、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与されるとともに第１吸着熱交換器７１の吸着材が再生される。このようにして、第１吸着熱交換器７１の吸着材の再生に利用された空気は、第１左側開口８７ａより流出室Ｓ４に流入する。そして、この空気は、調湿側排気口８６より排出空気ＥＡとして排出される。
【０１１７】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１１８】
（Ｂ）換気モードにおける暖房加湿運転
暖房加湿運転においては、熱源側四路切換弁２２が暖房運転状態に設定されるとともに、熱源側膨張弁２４が冷媒を極力減圧しない状態（例えば、全開）とされ、利用側膨張弁３１の開度が適宜調節される。この状態において、冷媒回路１０では、熱源側熱交換器２３が冷媒の蒸発器となり、利用側熱交換器３２が冷媒の凝縮器となる。すなわち、圧縮機２１から吐出されて熱源側四路切換弁２２（具体的には、第１ポート２２ａ及び第４ポート２２ｄ）を通過した冷媒は、ガス側閉鎖弁２６及び冷媒連絡配管６を介して利用側熱交換器３２に送られる。この冷媒は、利用側熱交換器３２で凝縮した後に、利用側膨張弁３１で減圧され、冷媒連絡配管５、液側閉鎖弁２５及び熱源側膨張弁２４を介して熱源側熱交換器２３に送られる。この冷媒は、熱源側熱交換器２３で蒸発した後に、熱源側四路切換弁２２（具体的には、第３ポート２２ｃ及び第２ポート２２ｂ）を介して、圧縮機２１へ吸入されて圧縮される（図７の熱源側冷媒回路１０ａ及び利用側冷媒回路１０ｂ及び冷媒連絡配管５、６に付された破線の矢印を参照）。
【０１１９】
また、暖房加湿運転においては、調湿側冷媒回路１０ｃの第１吸着熱交換器７１が冷媒の蒸発器となって第２吸着熱交換器７２が冷媒の凝縮器となる第１動作と、第２吸着熱交換器７２が冷媒の蒸発器となって第１吸着熱交換器７１が冷媒の凝縮器となる第２動作とが交互に繰り返される。より具体的には、第１動作では、調湿側四路切換弁７４が第２切換状態に設定され、調湿側膨張弁７３の開度が適宜調節される。この状態において、利用側冷媒回路１０ｂのガス側端又は冷媒連絡配管６から第２接続用閉鎖弁３４を介して調湿側冷媒回路１０ｃへ流入した冷媒は、調湿側四路切換弁７４（具体的には、第２ポート７４ｂ及び第３ポート７４ｃ）を介して第２吸着熱交換器７２に流入して凝縮された後に、調湿側膨張弁７３で減圧され、第１吸着熱交換器７１で蒸発した後に、調湿側四路切換弁７４（具体的には、第４ポート７４ｄ及び第１ポート７４ａ）及び第１接続用閉鎖弁３３を介して利用側冷媒回路１０ｂの液側端又は冷媒連絡配管５に戻される（図１０の調湿側冷媒回路１０ｃに付された破線の矢印を参照）。第２動作では、調湿側四路切換弁７４が第１切換状態に設定され、調湿側膨張弁７３の開度が適宜調節される。この状態において、利用側冷媒回路１０ｂのガス側端又は冷媒連絡配管６から第２接続用閉鎖弁３４を介して調湿側冷媒回路１０ｃへ流入した冷媒は、調湿側四路切換弁７４（具体的には、第２ポート７４ｂ及び第４ポート７４ｄ）を介して第１吸着熱交換器７１に流入して凝縮された後に、調湿側膨張弁７３で減圧され、第２吸着熱交換器７２で蒸発した後に、調湿側四路切換弁７４（具体的には、第３ポート７４ｃ及び第１ポート７４ａ）及び第１接続用閉鎖弁３３を介して利用側冷媒回路１０ｂの液側端又は冷媒連絡配管５に戻される（図７の調湿側冷媒回路１０ｃに付された実線の矢印を参照）。
【０１２０】
次に、換気モードにおける調湿装置７の加湿運転の第１動作について、図１１を用いて詳細に説明する。尚、換気モードにおける加湿運転の第１動作では、開閉ダンパ９１ａ、９１ｄ、９１ｆが開状態となり、開閉ダンパ９１ｂ、９１ｃ、９１ｅが閉状態となる。
【０１２１】
この状態において、調湿側室外空気吸気口８５を通じて流入室Ｓ３に流入する第２空気としての室外空気ＯＡは、第２右側開口８８ｂより第２熱交換器室Ｓ２の下部空間に流入する。そして、この空気は、上方に向かって流れて第２吸着熱交換器７２を通過し、第１熱交換器室Ｓ１の上部空間に流入する。ここで、凝縮器として機能する第２吸着熱交換器７２の吸着材が加熱され、吸着材に吸着された水分が脱離されると、この水分が空気に付与される。このようにして、第２吸着熱交換器７２で加湿された空気は、第２調湿側給気口８２ｂより利用ユニット３に調湿空気ＳＡ１として供給される。
【０１２２】
一方、化粧パネル４２のパネル吸気口４９ｅ（図３参照）及び第１調湿側室内空気吸気口８４ａを通じて第１熱交換器室Ｓ１の下部空間に流入する第１空気としての室内空気ＲＡは、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１の吸着材に水分を付与した空気は、第１左側開口８７ａより流出室Ｓ４に流入する。そして、この空気は、調湿側排気口８６より排出空気ＥＡとして排出される。
【０１２３】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１２４】
次に、換気モードにおける調湿装置７の加湿運転の第２動作について、図１２を用いて詳細に説明する。尚、換気モードにおける加湿運転の第２動作では、開閉ダンパ９１ｂ、９１ｃ、９１ｅが開状態となり、開閉ダンパ９１ａ、９１ｄ、９１ｆが閉状態となる。
【０１２５】
この状態において、調湿側室外空気吸気口８５を通じて流入室Ｓ３に流入する第２空気としての室外空気ＯＡは、第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与される。このようにして、第１吸着熱交換器７１で加湿された空気は、第１調湿側給気口８２ａより利用ユニット３に調湿空気ＳＡ１として供給される。
【０１２６】
一方、化粧パネル４２のパネル吸気口４９ｅ（図３参照）及び第２調湿側室内空気吸気口８４ｂを通じて第２熱交換器室Ｓ２の下部空間に流入する第１空気としての室内空気ＲＡは、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２の吸着材に水分を付与した空気は、第２左側開口８７ｂより流出室Ｓ４に流入する。そして、この空気は、調湿側排気口８６より排出空気ＥＡとして排出される。
【０１２７】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１２８】
（Ｃ）循環モードにおける冷房除湿運転
循環モードにおける冷房除湿運転は、調湿側冷媒回路１０ｃを含む冷媒回路１０の第１動作及び第２動作が、換気モードにおける冷房除湿運転の調湿側冷媒回路１０ｃを含む冷媒回路１０の第１動作及び第２動作と同様であるため、ここでは、説明を省略する（図７等を参照）。
【０１２９】
循環モードにおいては、調湿装置７の調湿側吸気ファン８９及び調湿側排気ファン９０を運転することで、室外空気ＯＡをユニット８０内に調湿側室外空気吸気口８５を通じて吸入した後に排出空気ＥＡとして調湿側排気口８６を通じて外部に排出する運転が行われるとともに、利用ユニット３の温調側送風ファン４６を運転することで、室内空気ＲＡを調湿装置７のユニット８０内に調湿側室内空気吸気口８４ａ、８４ｂを通じて吸入した後に調湿空気ＳＡ１として利用ユニット３に調湿側給気口８２ａ、８２ｂを通じて供給する運転が行われる。そして、利用ユニット３では、ドレンパン４７の吸気孔４７ｅを通じてユニット本体４１内に調湿空気ＳＡ１を吸入し、この調湿空気ＳＡ１を温調した後に、空調空気ＳＡ２として室内に供給する運転が行われる。
【０１３０】
次に、循環モードにおける調湿装置７の除湿運転の第１動作について、図１３を用いて詳細に説明する。尚、換気モードにおける除湿運転の第１動作では、開閉ダンパ９１ｂ、９１ｄ、９１ｅが開状態となり、開閉ダンパ９１ａ、９１ｃ、９１ｆが閉状態となる。
【０１３１】
この状態において、化粧パネル４２のパネル吸気口４９ｅ（図３参照）及び第１調湿側室内空気吸気口８４ａを通じて第１熱交換器室Ｓ１の下部空間に流入する第１空気としての室内空気ＲＡは、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１で減湿された空気は、第１調湿側給気口８２ａより利用ユニット３に調湿空気ＳＡ１として供給される。
【０１３２】
一方、調湿側室外空気吸気口８５を通じて流入室Ｓ３に流入する第２空気としての室外空気ＯＡは、第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与されるとともに第２吸着熱交換器７２の吸着材が再生される。このようにして、第２吸着熱交換器７２の吸着材の再生に利用された空気は、第２左側開口８７ｂより流出室Ｓ４に流入する。そして、この空気は、調湿側排気口８６より排出空気ＥＡとして排出される。
【０１３３】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１３４】
次に、循環モードにおける調湿装置７の除湿運転の第２動作について、図１４を用いて詳細に説明する。尚、換気モードにおける除湿運転の第２動作では、開閉ダンパ９１ａ、９１ｃ、９１ｆが開状態となり、開閉ダンパ９１ｂ、９１ｄ、９１ｅが閉状態となる。
【０１３５】
この状態において、化粧パネル４２のパネル吸気口４９ｅ（図３参照）及び第２調湿側室内空気吸気口８４ｂを通じて第２熱交換器室Ｓ２の下部空間に流入する第１空気としての室内空気ＲＡは、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２で減湿された空気は、第２調湿側給気口８２ｂより利用ユニット３に調湿空気ＳＡ１として供給される。
【０１３６】
一方、調湿側室外空気吸気口８５を通じて流入室Ｓ３に流入する第２空気としての室外空気ＯＡは、第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与されるとともに第１吸着熱交換器７１の吸着材が再生される。このようにして、第２吸着熱交換器７１の吸着材の再生に利用された空気は、第１左側開口８７ａより流出室Ｓ４に流入する。そして、この空気は、調湿側排気口８６より排出空気ＥＡとして排出される。
【０１３７】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１３８】
（Ｄ）循環モードにおける暖房加湿運転
循環モードにおける暖房加湿運転は、調湿側冷媒回路１０ｃを含む冷媒回路１０の第１動作及び第２動作が、換気モードにおける暖房加湿運転の調湿側冷媒回路１０ｃを含む冷媒回路１０の第１動作及び第２動作と同様であるため、ここでは、説明を省略する（図１０等を参照）。
【０１３９】
次に、循環モードにおける調湿装置７の加湿運転の第１動作について、図１５を用いて詳細に説明する。尚、循環モードにおける加湿運転の第１動作では、開閉ダンパ９１ａ、９１ｃ、９１ｆが開状態となり、開閉ダンパ９１ｂ、９１ｄ、９１ｅが閉状態となる。
【０１４０】
この状態において、化粧パネル４２のパネル吸気口４９ｅ（図３参照）及び第２調湿側室内空気吸気口８４ｂを通じて第２熱交換器室Ｓ２の下部空間に流入する第２空気としての室内空気ＲＡは、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与される。このようにして、第２吸着熱交換器７２で加湿された空気は、第２調湿側給気口８２ｂより利用ユニット３に調湿空気ＳＡ１として供給される。
【０１４１】
一方、調湿側室外空気吸気口８５を通じて流入室Ｓ３に流入する第１空気としての室外空気ＯＡは、第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１の吸着材に水分を付与した空気は、第１左側開口８７ａより流出室Ｓ４に流入する。そして、この空気は、調湿側排気口８６より排出空気ＥＡとして排出される。
【０１４２】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１４３】
次に、循環モードにおける調湿装置７の加湿運転の第２動作について、図１６を用いて詳細に説明する。尚、換気モードにおける加湿運転の第２動作では、開閉ダンパ９１ｂ、９１ｄ、９１ｅが開状態となり、開閉ダンパ９１ａ、９１ｃ、９１ｆが閉状態となる。
【０１４４】
この状態において、化粧パネル４２のパネル吸気口４９ｅ（図３参照）及び第１調湿側室内空気吸気口８４ａを通じて第１熱交換器室Ｓ１の下部空間に流入する第２空気としての室内空気ＲＡは、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与される。このようにして、第１吸着熱交換器７１で加湿された空気は、第１調湿側給気口８２ａより利用ユニット３に調湿空気ＳＡ１として供給される。
【０１４５】
一方、調湿側室外空気吸気口８５を通じて流入室Ｓ３に流入する第１空気としての室外空気ＯＡは、第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２の吸着材に水分を付与した空気は、第２左側開口８７ｂより流出室Ｓ４に流入する。そして、この空気は、調湿側排気口８６より排出空気ＥＡとして排出される。
【０１４６】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１４７】
（Ｅ）給気モードにおける冷房除湿運転
給気モードにおける冷房除湿運転は、調湿側冷媒回路１０ｃを含む冷媒回路１０の第１動作及び第２動作が、換気モードにおける冷房除湿運転の調湿側冷媒回路１０ｃを含む冷媒回路１０の第１動作及び第２動作と同様であるため、ここでは、説明を省略する（図７等を参照）。
【０１４８】
給気モードにおいては、調湿装置７の調湿側吸気ファン８９及び調湿側排気ファン９０を運転することで、室外空気ＯＡをユニット８０内に調湿側室外空気吸気口８５を通じて吸入した後に、その一部を調湿空気ＳＡ１として利用ユニット３に調湿側給気口８２ａ、８２ｂを通じて供給し、残りを排出空気ＥＡとして調湿側排気口８６を通じて外部に排出する運転が行われる。そして、利用ユニット３では、温調側送風ファン４６を運転することで、ドレンパン４７の吸気孔４７ｅを通じてユニット本体４１内に調湿空気ＳＡ１を吸入し、この調湿空気ＳＡ１を温調した後に、空調空気ＳＡ２として室内に供給する運転が行われる。
【０１４９】
次に、給気モードにおける調湿装置７の除湿運転の第１動作について、図１７を用いて詳細に説明する。尚、給気モードにおける除湿運転の第１動作では、開閉ダンパ９１ｂ、９１ｃ、９１ｄ、９１ｅが開状態となり、開閉ダンパ９１ａ、９１ｆが閉状態となる。
【０１５０】
この状態において、調湿側室外空気吸気口８５を通じて流入室Ｓ３に流入する室外空気ＯＡの一部は、第１空気として第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１で減湿された空気は、第１調湿側給気口８２ａより利用ユニット３に調湿空気ＳＡ１として供給される。
【０１５１】
一方、調湿側室外空気吸気口８５を通じて流入室Ｓ３に流入する室外空気ＯＡのうち第１空気としての一部を除いた残りは、第２空気として第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与されるとともに第２吸着熱交換器７２の吸着材が再生される。このようにして、第２吸着熱交換器７２の吸着材の再生に利用された空気は、第２左側開口８７ｂより流出室Ｓ４に流入する。そして、この空気は、調湿側排気口８６より排出空気ＥＡとして排出される。
【０１５２】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１５３】
次に、給気モードにおける調湿装置７の除湿運転の第２動作について、図１８を用いて詳細に説明する。尚、給気モードにおける除湿運転の第２動作では、開閉ダンパ９１ａ、９１ｃ、９１ｄ、９１ｆが開状態となり、開閉ダンパ９１ｂ、９１ｅが閉状態となる。
【０１５４】
この状態において、調湿側室外空気吸気口８５を通じて流入室Ｓ３に流入する室外空気ＯＡの一部は、第１空気として第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２で減湿された空気は、第２調湿側給気口８２ｂより利用ユニット３に調湿空気ＳＡ１として供給される。
【０１５５】
一方、調湿側室外空気吸気口８５を通じて流入室Ｓ３に流入する室外空気ＯＡのうち第１空気としての一部を除いた残りは、第２空気として第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与されるとともに第１吸着熱交換器７１の吸着材が再生される。このようにして、第１吸着熱交換器７１の吸着材の再生に利用された空気は、第１左側開口８７ａより流出室Ｓ４に流入する。そして、この空気は、調湿側排気口８６より排出空気ＥＡとして排出される。
【０１５６】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ｂより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１５７】
（Ｆ）給気モードにおける暖房加湿運転
給気モードにおける暖房加湿運転は、調湿側冷媒回路１０ｃを含む冷媒回路１０の第１動作及び第２動作が、換気モードにおける暖房加湿運転の調湿側冷媒回路１０ｃを含む冷媒回路１０の第１動作及び第２動作と同様であるため、ここでは、説明を省略する（図１０等を参照）。
【０１５８】
次に、給気モードにおける調湿装置７の加湿運転の第１動作について、図１９を用いて詳細に説明する。尚、給気モードにおける加湿運転の第１動作では、開閉ダンパ９１ａ、９１ｃ、９１ｄ、９１ｆが開状態となり、開閉ダンパ９１ｂ、９１ｅが閉状態となる。
【０１５９】
この状態において、調湿側室外空気吸気口８５を通じて流入室Ｓ３に流入する室外空気ＯＡの一部は、第２空気として第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与される。このようにして、第２吸着熱交換器７２で加湿された空気は、第２調湿側給気口８２ｂより利用ユニット３に調湿空気ＳＡ１として供給される。
【０１６０】
一方、調湿側室外空気吸気口８５を通じて流入室Ｓ３に流入する室外空気ＯＡのうち第１空気としての一部を除いた残りは、第１空気として第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１の吸着材に水分を付与した空気は、第１左側開口８７ａより流出室Ｓ４に流入する。そして、この空気は、調湿側排気口８６より排出空気ＥＡとして排出される。
【０１６１】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１６２】
次に、給気モードにおける調湿装置７の加湿運転の第２動作について、図２０を用いて詳細に説明する。尚、給気モードにおける加湿運転の第２動作では、開閉ダンパ９１ｂ、９１ｃ、９１ｄ、９１ｅが開状態となり、開閉ダンパ９１ａ、９１ｆが閉状態となる。
【０１６３】
この状態において、調湿側室外空気吸気口８５を通じて流入室Ｓ３に流入する室外空気ＯＡの一部は、第２空気として第１右側開口８８ａより第１熱交換器室Ｓ１の下部空間に流入する。そして、この空気は、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与される。このようにして、第１吸着熱交換器７１で加湿された空気は、第１調湿側給気口８２ａより利用ユニット３に調湿空気ＳＡ１として供給される。
【０１６４】
一方、調湿側室外空気吸気口８５を通じて流入室Ｓ３に流入する室外空気ＯＡのうち第２空気としての一部を除いた残りは、第１空気として第２右側開口８８ｂより第２熱交換器室Ｓ２の下部空間に流入する。そして、この空気は、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２の吸着材に水分を付与した空気は、第２左側開口８７ｂより流出室Ｓ４に流入する。そして、この空気は、調湿側排気口８６より排出空気ＥＡとして排出される。
【０１６５】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１６６】
（Ｇ）排気モードにおける冷房除湿運転
排気モードにおける冷房除湿運転は、調湿側冷媒回路１０ｃを含む冷媒回路１０の第１動作及び第２動作が、換気モードにおける冷房除湿運転の調湿側冷媒回路１０ｃを含む冷媒回路１０の第１動作及び第２動作と同様であるため、ここでは、説明を省略する（図７等を参照）。
【０１６７】
排気モードにおいては、利用ユニット３の温調側送風ファン４６を運転することで、室内空気ＲＡを調湿装置７のユニット８０内に調湿側室内空気吸気口８４ａ、８４ｂを通じて吸入した後に調湿空気ＳＡ１として利用ユニット３に調湿側給気口８２ａ、８２ｂを通じて供給するとともに、調湿装置７の調湿側排気ファン９０を運転することで、室内空気ＲＡを調湿装置７のユニット８０内に調湿側室内空気吸気口８４ａ、８４ｂを通じて吸入した後に排出空気ＥＡとして調湿側排気口８６を通じて外部に排出する運転が行われる。そして、利用ユニット３では、ドレンパン４７の吸気孔４７ｅを通じてユニット本体４１内に調湿空気ＳＡ１を吸入し、この調湿空気ＳＡ１を温調した後に、空調空気ＳＡ２として室内に供給する運転が行われる。
【０１６８】
次に、排気モードにおける調湿装置７の除湿運転の第１動作について、図２１を用いて詳細に説明する。尚、排気モードにおける除湿運転の第１動作では、開閉ダンパ９１ｂ、９１ｅが開状態となり、開閉ダンパ９１ａ、９１ｃ、９１ｄ、９１ｆが閉状態となる。
【０１６９】
この状態において、化粧パネル４２のパネル吸気口４９ｅ（図３参照）及び第１調湿側室内空気吸気口８４ａを通じて第１熱交換器室Ｓ１の下部空間に流入する第１空気としての室内空気ＲＡは、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１で減湿された空気は、第１調湿側給気口８２ａより利用ユニット３に調湿空気ＳＡ１として供給される。
【０１７０】
一方、化粧パネル４２のパネル吸気口４９ｅ（図３参照）及び第２調湿側室内空気吸気口８４ｂを通じて第２熱交換器室Ｓ２の下部空間に流入する第２空気としての室内空気ＲＡは、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与されるとともに第２吸着熱交換器７２の吸着材が再生される。このようにして、第２吸着熱交換器７２の吸着材の再生に利用された空気は、第２左側開口８７ｂより流出室Ｓ４に流入する。そして、この空気は、調湿側排気口８６より排出空気ＥＡとして排出される。
【０１７１】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１７２】
次に、排気モードにおける調湿装置７の除湿運転の第２動作について、図２２を用いて詳細に説明する。尚、排気モードにおける除湿運転の第２動作では、開閉ダンパ９１ａ、９１ｆが開状態となり、開閉ダンパ９１ｂ、９１ｃ、９１ｄ、９１ｅが閉状態となる。
【０１７３】
この状態において、化粧パネル４２のパネル吸気口４９ｅ（図３参照）及び第２調湿側室内空気吸気口８４ｂを通じて第２熱交換器室Ｓ２の下部空間に流入する第１空気としての室内空気ＲＡは、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２で減湿された空気は、第２調湿側給気口８２ｂより利用ユニット３に調湿空気ＳＡ１として供給される。
【０１７４】
一方、化粧パネル４２のパネル吸気口４９ｅ（図３参照）及び第１調湿側室内空気吸気口８４ａを通じて第１熱交換器室Ｓ１の下部空間に流入する第２空気としての室内空気ＲＡは、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与されるとともに第１吸着熱交換器７１の吸着材が再生される。このようにして、第１吸着熱交換器７１の吸着材の再生に利用された空気は、第１左側開口８７ａより流出室Ｓ４に流入する。そして、この空気は、調湿側排気口８６より排出空気ＥＡとして排出される。
【０１７５】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の蒸発器として機能する利用側熱交換器３２を通過させることによって冷却し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１７６】
（Ｈ）排気モードにおける暖房加湿運転
排気モードにおける暖房加湿運転は、調湿側冷媒回路１０ｃを含む冷媒回路１０の第１動作及び第２動作が、換気モードにおける暖房加湿運転の調湿側冷媒回路１０ｃを含む冷媒回路１０の第１動作及び第２動作と同様であるため、ここでは、説明を省略する（図１０等を参照）。
【０１７７】
次に、排気モードにおける調湿装置７の加湿運転の第１動作について、図２３を用いて詳細に説明する。尚、排気モードにおける加湿運転の第１動作では、開閉ダンパ９１ａ、９１ｆが開状態となり、開閉ダンパ９１ｂ、９１ｃ、９１ｄ、９１ｅが閉状態となる。
【０１７８】
この状態において、化粧パネル４２のパネル吸気口４９ｅ（図３参照）及び第２調湿側室内空気吸気口８４ｂを通じて第２熱交換器室Ｓ２の下部空間に流入する第２空気としての室内空気ＲＡは、上方に向かって流れて第２吸着熱交換器７２を通過し、第２熱交換器室Ｓ２の上部空間に流入する。ここで、凝縮器として機能する第２吸着熱交換器７２の吸着材が加熱され、吸着材に吸着された水分が脱離されると、この水分が空気に付与される。このようにして、第２吸着熱交換器７２で加湿された空気は、第２調湿側給気口８２ｂより利用ユニット３に調湿空気ＳＡ１として供給される。
【０１７９】
一方、化粧パネル４２のパネル吸気口４９ｅ（図３参照）及び第１調湿側室内空気吸気口８４ａを通じて第１熱交換器室Ｓ１の下部空間に流入する第１空気としての室内空気ＲＡは、上方に向かって流れて第１吸着熱交換器７１を通過し、第１熱交換器室Ｓ１の上部空間に流入する。ここで、蒸発器として機能する第１吸着熱交換器７１の吸着材によって、この空気中の水分が吸着される。尚、この際に生じる吸着熱は、第１吸着熱交換器７１内の冷媒の蒸発熱として利用される。このようにして、第１吸着熱交換器７１の吸着材に水分を付与した空気は、第１左側開口８７ａより流出室Ｓ４に流入する。そして、この空気は、調湿側排気口８６より排出空気ＥＡとして排出される。
【０１８０】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第２調湿側給気口８２ｂより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１８１】
次に、排気モードにおける調湿装置７の加湿運転の第２動作について、図２４を用いて詳細に説明する。尚、排気モードにおける加湿運転の第２動作では、開閉ダンパ９１ｂ、９１ｅが開状態となり、開閉ダンパ９１ａ、９１ｃ、９１ｄ、９１ｆが閉状態となる。
【０１８２】
この状態において、化粧パネル４２のパネル吸気口４９ｅ（図３参照）及び第１調湿側室内空気吸気口８４ａを通じて第１熱交換器室Ｓ１の下部空間に流入する第２空気としての室内空気ＲＡは、上方に向かって流れて第１吸着熱交換器７１を通過し、第１熱交換器室Ｓ１の上部空間に流入する。ここで、凝縮器として機能する第１吸着熱交換器７１の吸着材が加熱され、吸着材に吸着された水分が脱離されると、この水分が空気に付与される。このようにして、第１吸着熱交換器７１で加湿された空気は、第１調湿側給気口８２ａより利用ユニット３に調湿空気ＳＡ１として供給される。
【０１８３】
一方、化粧パネル４２のパネル吸気口４９ｅ（図３参照）及び第２調湿側室内空気吸気口８４ｂを通じて第２熱交換器室Ｓ２の下部空間に流入する第１空気としての室内空気ＲＡは、上方に向かって流れて第２吸着熱交換器７２を通過し、第２熱交換器室Ｓ２の上部空間に流入する。ここで、蒸発器として機能する第２吸着熱交換器７２の吸着材によって、この空気中の水分が吸着される。尚、この際に生じる吸着熱は、第２吸着熱交換器７２内の冷媒の蒸発熱として利用される。このようにして、第２吸着熱交換器７２の吸着材に水分を付与した空気は、第２左側開口８７ｂより流出室Ｓ４に流入する。そして、この空気は、調湿側排気口８６より排出空気ＥＡとして排出される。
【０１８４】
このとき、利用ユニット３では、温調側送風ファン４６を運転することで、ドレンパン４７の吸気孔４７ｅを通じて、ユニット本体４１内に、化粧パネル４２のパネル吸気口４９ｅ（図３参照）及び調湿側吸気連通開口８１ｅより室内空気ＲＡと、第１調湿側給気口８２ａより調湿空気ＳＡ１とを吸入し、この空気を冷媒の凝縮器として機能する利用側熱交換器３２を通過させることによって加熱し、ドレンパン４７の給気孔４７ａ〜４７ｄ及び調湿側給気連通開口８１ａ〜８１ｄを通じて、化粧パネル４２のパネル給気口４９ａ〜４９ｄより空調空気ＳＡ２として室内に供給される（図３参照）。
【０１８５】
（４）調湿装置及びそれを備えた空気調和システムの特徴
本実施形態の調湿装置７及びそれを備えた空気調和システム１には、以下のような特徴がある。
【０１８６】
（Ａ）
本実施形態の調湿装置７は、水分を吸着及び脱離する吸着材を有しており、吸着材との接触により調湿された調湿空気を室内へ供給する調湿装置であり、吸着材の加熱及び冷却の少なくとも一方を行うための冷媒が流れる調湿側冷媒回路１０ｃを有しているため、空気と吸着材とが接触して、両者の間で水分の授受が行われて空気の湿度調節を行うことができる。また、調湿装置７は、調湿側冷媒回路１０ｃを構成する機器が収容されている調湿装置ケーシングとしてのケーシング８１とを備えており、このケーシング８１は、室内空気を取り込んで熱交換を行い室内へ供給する天井埋込型空気調和ユニットとしての利用ユニット３のユニット本体４１の下面に設けられるため、従来のユニット本体４１の側面に設ける場合と比べてコンパクトに設置することができる。これにより、給水配管を設けることなく除加湿が可能で、かつ、コンパクトに利用ユニット３に設けることが可能にできる。
【０１８７】
また、この調湿装置７の調湿用冷媒回路１０ｃは、天井埋込型空気調和ユニットとしての利用ユニット３と熱源ユニット２とが冷媒連絡配管５、６を介して接続されることにより構成された空気調和システム１の冷媒回路１０（具体的には、利用ユニット３の利用側冷媒回路１０ｂ又は冷媒連絡配管５、６）に接続されているため、空気調和システムの冷媒回路１０を有効に利用できるとともに、調湿装置７単体で圧縮機を必要としないため、コンパクト化が促進される。
【０１８８】
そして、この空気調和システム１全体としても、給水配管を設けることなく除加湿が可能で、かつ、コンパクトに天井埋込型空気調和ユニットとしての利用ユニット３に設けることが可能な調湿装置７を備えているため、容易かつ安価に設置することができる。
【０１８９】
（Ｂ）
本実施形態の調湿装置７では、吸着熱交換器７１、７２に吸着材を設けているため、吸着材を冷媒によって効率よく加熱し又は冷却することができる。これにより、吸着材と空気の間で授受される水分の量を増大させることができ、調湿装置７の能力向上あるいは調湿装置７のコンパクト化が促進される。
【０１９０】
（Ｃ）
本実施形態の調湿装置７では、調湿空気ＳＡ１を供給するための調湿側給気口８２ａ、８２ｂが、温調側吸気口としてのドレンパン４７の吸気孔４７ｅに連通するようにケーシング８１の吸気孔４７ｅに対向する面（具体的には、天板８２）に設けられているため、調湿空気ＳＡ１を室内に供給するためのダクト等が不要となり、コンパクト化が促進される。しかも、調湿空気ＳＡ１が天井埋込型空気調和ユニットとしての利用ユニット３を通じて室内に供給されるようになるため、室内を快適な状態に調節することが容易になる。さらに、調湿空気ＳＡ１を利用ユニット３に送る際に、温調側送風ファン４６を利用することも可能になる。
【０１９１】
（Ｄ）
本実施形態の調湿装置７では、室内空気ＲＡを取り込むための調湿側室内空気吸気口８４ａ、８４ｂが、ケーシング８１の調湿側給気口８２ａ、８２ｂが形成された面とは反対側の面（具体的には、底板８４）に設けられているため、室内空気ＲＡを取り込むためのダクト等が不要となり、コンパクト化が促進される。
【０１９２】
（Ｅ）
本実施形態の調湿装置７では、室外空気ＯＡを取り込むための調湿側室外空気吸気口８５と排出空気ＥＡを排出するための調湿側排気口８６とが、ケーシング８１の側面（具体的には、側板８３）に設けられているため、ダクト接続が容易である。
【０１９３】
しかも、調湿側室外空気吸気口８５及び調湿側排気口８６は、ケーシング８１の角部に対応する短辺側の側板（具体的には、側板８３ｅ及び側板８３ｆ）に設けられており、天井埋込型空気調和ユニットとしての利用ユニット３の温調側給気口（具体的には、ドレンパン４７の給気孔４７ａ〜４７ｄ及び化粧パネル４２のパネル給気口４９ａ〜４９ｄ）に対応する調湿側給気連通開口８１ａ〜８１ｄと干渉しないようになっている。
【０１９４】
（Ｆ）
本実施形態の調湿装置７では、ケーシング８１には、吸着熱交換器７１、７２を収容しており調湿側給気口８２ａ、８２ｂ及び調湿側室内空気吸気口８４ａ、８４ｂを通じて外部と連通する熱交換器室Ｓ１、Ｓ２と、熱交換器室Ｓ１、Ｓ２の一側面側（具体的には右側）に配置されており調湿側室外空気吸気口８５を通じて外部と連通するとともに熱交換器室Ｓ１、Ｓ２との間に形成された流入側開口としての右側開口８８ａ、８８ｂによって熱交換器室Ｓ１、Ｓ２と連通する流入室Ｓ３と、熱交換器室Ｓ１、Ｓ２の他側面側（具体的には左側）に配置されており調湿側排気口８６を通じて外部と連通するとともに熱交換器室Ｓ１、Ｓ２との間に形成された流出側開口としての左側開口８７ａ、８７ｂによって熱交換器室Ｓ１、Ｓ２と連通する流出室Ｓ４とが形成されている。このように、この調湿装置７では、流入室Ｓ３と流出室Ｓ４とが熱交換器室Ｓ１、Ｓ２の高さ方向に重ならないように配置されているため、高さ方向のサイズのコンパクト化が促進される。
【０１９５】
しかも、この調湿装置７には、流入側開口としての右側開口８８ａ、８８ｂ、流出側開口としての左側開口８７ａ、８７ｂ及び調湿側給気口８２ａ、８２ｂのそれぞれを開閉する開閉機構としての開閉ダンパ９１ａ〜９１ｆが設けられており、調湿側室内空気吸気口８４ａ、８４ｂには、開閉機構が設けられていないため、部品点数を少なくすることができる。
【０１９６】
また、この調湿装置７では、吸着熱交換器７１、７２は、それぞれ、熱交換器室Ｓ１、Ｓ２内の空間を、流入側開口としての右側開口８８ａ、８８ｂ及び調湿側室内空気吸気口８４ａ、８４ｂに面する第１空間としての下部空間と、流出側開口としての左側開口８７ａ、８７ｂ及び調湿側給気口８２ａ、８２ｂに面する第２空間としての上部空間とに仕切るように配置されているため、右側開口８８ａ、８８ｂを通じて熱交換器室Ｓ１、Ｓ２内に流入する室外空気ＯＡが吸着熱交換器７１、７２を通過した後に天井埋込型空気調和ユニットとしての利用ユニット３又は流出室Ｓ４に流入するようにできるとともに、調湿側室内空気吸気口８４ａ、８４ｂを通じて熱交換器室Ｓ１、Ｓ２内に流入する室内空気ＲＡが吸着熱交換器７１、７２を通過した後に利用ユニット３又は流出室Ｓ４に流入するようにできる。
【０１９７】
また、この調湿装置７では、流出室Ｓ４には、流出室Ｓ４から調湿側排気口８６を通じて空気を排気するための調湿側排気ファン９０が設置されているため、自ら、流出室Ｓ４から外部に排出空気ＥＡを吸い出す運転を行うことができる。そして、調湿側排気ファン９０は、調湿側給気連通開口８１ａと調湿側給気連通開口８１ｄとの間のケーシング８１の角部に配置されているため、ケーシング８１内のスペースの有効利用がなされている。
【０１９８】
さらに、この調湿装置７では、流入室Ｓ３には、外部から調湿側室外空気吸気口８５を通じて室外空気ＯＡを流入室Ｓ３に流入させるための調湿側吸気ファン８９が設置されているため、自ら、外部から流入室Ｓ３に室外空気ＯＡを押し込む運転を行うことができる。そして、調湿側吸気ファン８９は、調湿側給気連通開口８１ａと調湿側給気連通開口８１ｂとの間のケーシング８１の角部に配置されているため、ケーシング８１内のスペースの有効利用がなされている。
【０１９９】
（Ｇ）
本実施形態の調湿装置７では、ケーシング８１に、その下面（具体的には、底板８４）から上面（具体的には、天板８２）に向かって貫通する調湿側吸気連通開口８１ｅが設けられており、利用ユニット３の温調側吸気口としてのドレンパン４７の吸気孔４７ｅ及び化粧パネル４２のパネル吸気口４９ｅに連通するように配置されているため、利用ユニット３がドレンパン４７の吸気孔４７ｅから室内空気ＲＡを直接取り込むことができる。このため、調湿装置７を使用しない場合には、利用ユニット３は、通常の冷房運転や暖房運転を行うことが可能である。
【０２００】
また、熱交換器室Ｓ１、Ｓ２は調湿側吸気連通開口８１ｅに隣り合うように設けられているため、調湿側給気口８２ａ、８２ｂ及び調湿側室内空気吸気口８４ａ、８４ｂも調湿側吸気連通開口８１ｅの近くに配置されることになる。これにより、室内空気ＲＡが調湿側室内空気吸気口８４ａ、８４ｂを通じてスムーズに取り込まれるようになり、また、調湿空気ＳＡ１が調湿側給気口８２ａ、８２ｂからドレンパン４７の吸気孔４７ｅを通じて利用ユニット３にスムーズに供給されるようになる。
【０２０１】
（Ｈ）
本実施形態の調湿装置７では、第１空気と第２空気とを取り込んで、第１吸着熱交換器７１に第１空気中の水分を吸着させて第２吸着熱交換器７２から脱離させた水分を第２空気に付与する第１動作と、第２吸着熱交換器７２に第１空気中の水分を吸着させて第１吸着熱交換器７１から脱離させた水分を第２空気に付与する第２動作とを交互に行い、吸着熱交換器７１、７２において除湿された第１空気と加湿された第２空気のいずれか一方を調湿空気ＳＡ１として室内（具体的には、利用ユニット３）に供給し他方を排出空気ＥＡとして室外へ排出する、すなわち、第１及び第２吸着熱交換器７１、７２の一方が水分を吸着する間に他方が再生されるバッチ式の動作を行うようにしている。これにより、除湿された第１空気と加湿された第２空気とを連続的に生成し、得られた第１空気又は第２空気を継続して調湿空気ＳＡ１として室内へ供給することが可能になる。
【０２０２】
また、この調湿装置７では、調湿用冷媒回路１０ｃが、第１及び第２吸着熱交換器７１、７２のうち、第１空気を除湿する一方が蒸発器として機能し、第２空気を加湿する他方が凝縮器として機能するように、冷媒の流通方向が切換可能になっているため、蒸発器となっている吸着熱交換器では、冷媒によって吸着剤が冷却され、吸着材に対する空気中の水分の吸着が促進される。また、凝縮器となっている吸着熱交換器では、冷媒によって吸着材が加熱され、吸着剤からの水分の脱離が促進される。これにより、吸着材への水分の吸着と吸着材からの水分の脱離との両方を促進でき、調湿装置７の能力向上あるいは調湿装置７のコンパクト化が促進される。
【０２０３】
（Ｉ）
本実施形態の調湿装置７では、各種モードにおける除加湿運転を行うことができる。
【０２０４】
具体的には、第１空気及び第２空気のいずれか一方としての室外空気ＯＡと、第１空気及び第２空気のいずれか他方としての室内空気ＲＡとを取り込んで、取り込んだ室外空気ＯＡを吸着材との接触により調湿してから調湿空気ＳＡ１として室内に供給するとともに、取り込んだ室内空気ＲＡを排出空気ＥＡとして室外へ排出する換気モードにおける除加湿運転が可能になっている。
【０２０５】
また、第１空気及び第２空気のいずれか一方としての室内空気ＲＡを取り込んで、取り込んだ室内空気ＲＡを吸着材との接触により調湿してから調湿空気ＳＡ１として室内に供給する循環モードにおける除加湿運転が可能になっている。
【０２０６】
また、室外空気ＯＡだけを取り込んで、第１空気及び第２空気のいずれか一方としての取り込んだ室外空気ＯＡの一部を吸着材との接触により除湿して、第１空気及び第２空気のいずれか他方としての室外空気ＯＡの残りを吸着材から脱離した水分により加湿し、除湿された室外空気ＯＡと加湿された室外空気ＯＡの一方を調湿空気ＳＡ１として室内へ供給して他方を排出空気ＥＡとして室外へ排出する給気モードにおける除加湿運転が可能になっている。
【０２０７】
さらに、室内空気ＲＡだけを取り込んで、第１空気及び第２空気のいずれか一方としての取り込んだ室内空気ＲＡの一部を吸着材との接触により除湿して、第１空気及び第２空気のいずれか他方としての室内空気ＲＡの残りを吸着材から脱離した水分により加湿し、除湿された室内空気ＲＡと加湿された室内空気ＲＡの一方を調湿空気ＳＡ１として室内へ供給して他方を排出空気ＥＡとして室外へ排出する排気モードにおける除加湿運転が可能になっている。
【０２０８】
＜第２実施形態＞
本発明の第２実施形態にかかる調湿装置１０７及びそれを備えた空気調和システム１０１について説明する。本実施形態の空気調和システム１０１は、第１実施形態の空気調和システム１と同様、湿度及び温度調節した空調空気ＳＡ２を室内へ供給するものであり、
第１実施形態の空気調和システム１において冷媒回路１０の構成を変更したものである。
【０２０９】
（１）空気調和システムの全体構成
まず、本実施形態の空気調和システム１０１の全体構成について、図２５を用いて説明する。ここで、図２５は、空気調和システム１０１の冷媒回路１１０を示す概略冷媒回路図である。
【０２１０】
空気調和システム１０１は、主として、熱源ユニット１０２と、利用ユニット１０３と、熱源ユニット１０２と利用ユニット１０３とを接続する冷媒連絡配管１０５、１０６とを備えている。また、空気調和システム１０１には、調湿装置１０７が接続されている。
【０２１１】
（２）熱源ユニット
次に、熱源ユニット１０２について、図２５を用いて説明する。
【０２１２】
熱源ユニット１０２には、冷媒回路１１０の一部を構成する熱源側冷媒回路１１０ａが収容されている。熱源側冷媒回路１１０ａは、第１実施形態の熱源ユニット２の熱源側冷媒回路１０ａと同様、主として、圧縮機１２１と、熱源側四路切換弁１２２と、熱源側熱交換器１２３と、熱源側膨張弁１２４と、液側閉鎖弁１２５と、ガス側閉鎖弁１２６とを有している。また、熱源ユニット１０２は、熱源ユニット１０２を構成する各部の動作を制御する熱源側制御部１２７も備えている。尚、各機器１２１〜１２７の構成や機能は、第１実施形態の各機器２１〜２７と同様であるため、ここでは、説明を省略する。
【０２１３】
（３）利用ユニット
次に、利用ユニット１０３について、図２〜図４及び図２５を用いて説明する。
【０２１４】
利用ユニット１０３には、冷媒回路１１０の一部を構成する利用側冷媒回路１１０ｂが収容されている。利用側冷媒回路１１０ｂは、主として、利用側熱交換器１３２とを有している。また、利用ユニット１０３は、利用ユニット１０３を構成する各部の動作を制御する利用側制御部１３５も備えている。ここで、本実施形態の利用ユニット１０３には、利用側膨張弁が設けられていない点が第１実施形態の利用ユニット３と異なる。このため、第１実施形態の空気調和システム１では、利用ユニット３を複数台接続した場合において、利用ユニットごとに運転制御を行うことができるが、本実施形態の空気調和システム１０１では、利用ユニット１０３を複数台接続した場合においても、利用ユニット１０３を１台だけ接続した場合と同様な運転制御が行われる。尚、各機器１３２、１５５の構成や機能は、第１実施形態の各機器３２、３５と同様であるため、ここでは、説明を省略する。
【０２１５】
また、利用ユニット１０３のユニット構成は、上述のように、ケーシング４３内に収容される利用側冷媒回路１１０ｂが異なるが、その他については、第１実施形態の利用ユニット３と同様であるため、ここでは、説明を省略する。
【０２１６】
（４）調湿装置
次に、調湿装置１０７について、図２、図３、図５、図６及び図２５を用いて説明する。
【０２１７】
調湿装置１０７には、冷媒回路１１０の一部を構成する調湿側冷媒回路１１０ｃが収容されている。調湿側冷媒回路１１０ｃは、主として、第１及び第２吸着熱交換器７１、７２と、切換機構としての第１及び第２電磁弁１７３、１７４とを有している。調湿側冷媒回路１１０ｃは、利用側冷媒回路１１０ｂ又は冷媒連絡配管１０５、１０６に接続されている。ここでは、調湿側冷媒回路１１０ｃの一端は、第１実施形態の調湿側冷媒回路１０ｃと同様、第１接続用閉鎖弁１３３を介して、利用側冷媒回路１１０ｂの液側端（すなわち、利用側熱交換器１３２の液側端）又は冷媒連絡配管１０５に接続されている。また、調湿側冷媒回路１１０ｃの他端は、第２接続用閉鎖弁１３４を介して、利用側冷媒回路１１０ｂのガス側端（すなわち、利用側熱交換器３２のガス側端）又は冷媒連絡配管１０６に接続されている。尚、ここでは、第１及び第２接続用閉鎖弁１３３、１３４は、利用ユニット１０３内に収容されているように図示されているが、これに限定されず、調湿装置１０７内に収容されていてもよいし、また、利用ユニット１０３にも調湿装置１０７にも収容されずに冷媒連絡配管１０５、１０６に設けられていてもよい。さらには、第１及び第２接続用閉鎖弁１３３、１３４を介さずに接続されていてもよい。
【０２１８】
第１及び第２吸着熱交換器１７１、１７２は、第１実施形態の第１及び第２吸着熱交換器７１、７２と同様、表面に吸着材が設けられた熱交換器である。
【０２１９】
第１及び第２電磁弁１７３、１７４は、運転状態に応じて開閉動作を行うことが可能な弁である。第１電磁弁１７３の一端及び第２電磁弁１７４の一端は、第１接続用閉鎖弁１３３を介して利用側冷媒回路１１０ｂの液側端（すなわち、利用側熱交換器１３２の液側端）又は冷媒連絡配管１０５に接続されている。また、第１電磁弁１７３の他端及び第２電磁弁１７４の他端は、第１吸着熱交換器１７１の一端及び第２吸着熱交換器１７２の一端にそれぞれ接続されている。そして、第１吸着熱交換器１７１の他端及び第２吸着熱交換器１７２の他端は、第２接続用閉鎖弁１３４を介して利用側冷媒回路１１０ｂのガス側端（すなわち、利用側熱交換器１３２のガス側端）又は冷媒連絡配管１０６に接続されている。ここで、第１電磁弁１７３が開状態でありかつ第２電磁弁１７４が閉状態に設定される状態を第１切換状態とし、第１電磁弁１７３が閉状態でありかつ第２電磁弁１７４が開状態に設定される状態を第２切換状態とする。
【０２２０】
以上のような調湿側冷媒回路１１０ｃにおいて、熱源側四路切換弁１２２が冷房運転状態である場合において、第１及び第２電磁弁１７３、１７４を第１切換状態にすると、第１吸着熱交換器１７１が蒸発器として機能し、第２吸着熱交換器１７２に冷媒が流入しない休止状態となる。また、熱源側四路切換弁１２２が暖房運転状態である場合において、第１及び第２電磁弁１７３、１７４を第１切換状態にすると、第１吸着熱交換器１７１が凝縮器として機能し、第２吸着熱交換器１７２に冷媒が流入しない休止状態となる。一方、熱源側四路切換弁１２２が冷房運転状態である場合において、第１及び第２電磁弁１７３、１７４を第２切換状態にすると、第１吸着熱交換器１７１に冷媒が流入しない休止状態となり、第２吸着熱交換器１７２が蒸発器として機能する。また、熱源側四路切換弁１２２が暖房運転状態である場合において、第１及び第２電磁弁１７３、１７４を第２切換状態にすると、第１吸着熱交換器１７１に冷媒が流入しない状態となり、第２吸着熱交換器１７２が凝縮器として機能する。
【０２２１】
また、調湿装置１０７のユニット構成は、上述のように、ケーシング８１内に収容される調湿側冷媒回路１１０ｃが異なるが、その他については、第１実施形態の調湿装置７と同様であるため、ここでは、説明を省略する。尚、調湿装置１０７は、調湿装置１０７を構成する各部の動作を制御する調湿側制御部１７５も備えている。
【０２２２】
以上のような構成を有する空気調和システム１０１では、後述のように、各種モードにおける冷房除湿運転や暖房加湿運転を行うことができるようになっている。尚、これらの運転制御は、熱源ユニット１０２の熱源側制御部１２７と利用ユニット１０３の利用側制御部１３５と調湿装置１０７の調湿側制御部１７５とからなる制御部１０８によって行われる。
【０２２３】
（５）空気調和システムの動作
次に、本実施形態の空気調和システム１０１の運転動作について、図２〜図４、図８、図９及び図１１〜図２７を用いて説明する。ここで、図２６は、空気調和システム１０１の冷房除湿運転の第１動作及び第２動作を示す概略冷媒回路図である。図２７は、空気調和システム１０１の暖房加湿運転の第１動作及び第２動作を示す概略冷媒回路図である。
【０２２４】
空気調和システム１０１は、第１実施形態の空気調和システム１と同様、換気モード、循環モード、給気モード及び排気モードの４つのモードにおいて、冷房除湿運転と暖房加湿運転とを行うことができる。このため、以下の説明では、換気モード、循環モード、給気モード及び排気モードの調湿装置１０７の各運転モードにおける冷房除湿運転及び暖房加湿運転について説明する。
【０２２５】
（Ａ）換気モードにおける冷房除湿運転
冷房除湿運転においては、熱源側四路切換弁１２２が冷房運転状態に設定されるとともに、熱源側膨張弁１２４の開度が適宜調節される。この状態において、冷媒回路１１０では、熱源側熱交換器１２３が冷媒の凝縮器となり、利用側熱交換器１３２が冷媒の蒸発器となる。すなわち、圧縮機１２１から吐出されて熱源側四路切換弁１２２（具体的には、第１ポート１２２ａ及び第３ポート１２２ｃ）を通過した冷媒は、熱源側熱交換器１２３で凝縮してから、熱源側膨張弁１２４に送られる。この冷媒は、熱源側膨張弁１２４で減圧された後、液側閉鎖弁１２５及び冷媒連絡配管１０５を介して利用側熱交換器１３２に送られる。この冷媒は、利用側熱交換器１３２で蒸発した後に、冷媒連絡配管１０６、ガス側閉鎖弁１２６及び熱源側四路切換弁１２２（具体的には、第４ポート１２２ｄ及び第２ポート１２２ｂ）を介して、圧縮機１２１へ吸入されて圧縮される（図２６の熱源側冷媒回路１１０ａ及び利用側冷媒回路１１０ｂ及び冷媒連絡配管１０５、１０６に付された実線の矢印を参照）。
【０２２６】
また、冷房除湿運転においては、調湿側冷媒回路１１０ｃの第１吸着熱交換器１７１が冷媒の蒸発器となって第２吸着熱交換器１７２が休止する第１動作と、第２吸着熱交換器１７２が冷媒の蒸発器となって第１吸着熱交換器１７１が休止する第２動作（すなわち、第１及び第２電磁弁１７３、１７４が第２切換状態）とが交互に繰り返される。より具体的には、第１動作では、第１及び第２電磁弁１７３、１７４が第１切換状態に設定される。この状態において、利用側冷媒回路１１０ｂの液側端又は冷媒連絡配管１０５から第１接続用閉鎖弁１３３を介して調湿側冷媒回路１１０ｃへ流入した冷媒は、第１電磁弁１７３を介して第１吸着熱交換器１７１に流入して蒸発した後に、第２接続用閉鎖弁１３４を介して利用側冷媒回路１１０ｂのガス側端又は冷媒連絡配管１０６に戻され、第２吸着熱交換器１７２への冷媒の流入が第２電磁弁１７４によって遮断される（図２６の調湿側冷媒回路１１０ｃに付された実線の矢印を参照）。第２動作では、第１及び第２電磁弁１７３、１７４が第２切換状態に設定される。この状態において、利用側冷媒回路１１０ｂの液側端又は冷媒連絡配管１０５から第１接続用閉鎖弁１３３を介して調湿側冷媒回路１１０ｃへ流入した冷媒は、第２電磁弁１７４を介して第２吸着熱交換器１７２に流入して蒸発した後に、第２接続用閉鎖弁１３４を介して利用側冷媒回路１１０ｂのガス側端又は冷媒連絡配管１０６に戻され、第１吸着熱交換器１７１への冷媒の流入が第１電磁弁１７３によって遮断される（図２６の調湿側冷媒回路１１０ｃに付された破線の矢印を参照）。
【０２２７】
換気モードにおいては、第１実施形態の調湿装置７と同様、調湿装置１０７の調湿側吸気ファン８９及び調湿側排気ファン９０を運転することで、室外空気ＯＡをユニット８０内に調湿側室外空気吸気口８５を通じて吸入した後に調湿空気ＳＡ１として利用ユニット３に調湿側給気口８２ａ、８２ｂを通じて供給し、室内空気ＲＡをユニット８０内に調湿側室内空気吸気口８４ａ、８４ｂを通じて吸入した後に排出空気ＥＡとして調湿側排気口８６を通じて外部に排出する運転が行われる。そして、利用ユニット３では、温調側送風ファン４６を運転することで、ドレンパン４７の吸気孔４７ｅを通じてユニット本体４１内に調湿空気ＳＡ１を吸入し、この調湿空気ＳＡ１を温調した後に、空調空気ＳＡ２として室内に供給する運転が行われる。
【０２２８】
尚、調湿装置１０７の第１動作においては、休止中の第２吸着熱交換器１７２の吸着材が室内空気ＲＡと接触することで再生され、また、調湿装置１０７の第２動作においては、休止中の第１吸着熱交換器１７１の吸着材が室内空気ＲＡと接触することで再生される点が、第１実施形態の調湿装置７の第１動作及び第２動作と異なるが、他の点については第１実施形態の調湿装置７の第１動作及び第２動作と同様であるため、ここでは、詳細な説明を省略する（図８、９参照）。
【０２２９】
（Ｂ）換気モードにおける暖房加湿運転
暖房加湿運転においては、熱源側四路切換弁１２２が暖房運転状態に設定されるとともに、熱源側膨張弁１２４の開度が適宜調節される。この状態において、冷媒回路１１０では、熱源側熱交換器１２３が冷媒の蒸発器となり、利用側熱交換器１３２が冷媒の凝縮器となる。すなわち、圧縮機１２１から吐出されて熱源側四路切換弁１２２（具体的には、第１ポート１２２ａ及び第４ポート１２２ｄ）を通過した冷媒は、ガス側閉鎖弁１２６及び冷媒連絡配管１０６を介して利用側熱交換器１３２に送られる。この冷媒は、利用側熱交換器１３２で凝縮した後に、冷媒連絡配管１０５及び液側閉鎖弁１２５を介して熱源側膨張弁１２４に送られる。この冷媒は、熱源側膨張弁１２４で減圧された後、熱源側熱交換器１２３で蒸発し、熱源側四路切換弁１２２（具体的には、第３ポート１２２ｃ及び第２ポート１２２ｂ）を介して、圧縮機１２１へ吸入されて圧縮される（図２７の熱源側冷媒回路１１０ａ及び利用側冷媒回路１１０ｂ及び冷媒連絡配管１０５、１０６に付された破線の矢印を参照）。
【０２３０】
また、暖房加湿運転においては、調湿側冷媒回路１１０ｃの第１吸着熱交換器１７１が冷媒の蒸発器となって第２吸着熱交換器１７２が休止する第１動作と、第２吸着熱交換器１７２が冷媒の蒸発器となって第１吸着熱交換器１７１が休止する第２動作（すなわち、第１及び第２電磁弁１７３、１７４が第２切換状態）とが交互に繰り返される。より具体的には、第１動作では、第１及び第２電磁弁１７３、１７４が第１切換状態に設定される。この状態において、利用側冷媒回路１１０ｂのガス側端又は冷媒連絡配管１０６から第２接続用閉鎖弁１３４を介して調湿側冷媒回路１１０ｃへ流入した冷媒は、第１吸着熱交換器１７１に流入して凝縮した後に、第１閉鎖弁１７３及び第１接続用閉鎖弁１３３を介して利用側冷媒回路１１０ｂの液側端又は冷媒連絡配管１０５に戻され、第２吸着熱交換器１７２への冷媒の流入が第２電磁弁１７４によって遮断される（図２７の調湿側冷媒回路１１０ｃに付された実線の矢印を参照）。第２動作では、第１及び第２電磁弁１７３、１７４が第２切換状態に設定される。この状態において、利用側冷媒回路１１０ｂのガス側端又は冷媒連絡配管１０６から第２接続用閉鎖弁１３４を介して調湿側冷媒回路１１０ｃへ流入した冷媒は、第２吸着熱交換器１７２に流入して凝縮した後に、第２閉鎖弁１７４及び第１接続用閉鎖弁１３３を介して利用側冷媒回路１１０ｂの液側端又は冷媒連絡配管１０５に戻され、第１吸着熱交換器１７１への冷媒の流入が第１電磁弁１７３によって遮断される（図２７の調湿側冷媒回路１１０ｃに付された破線の矢印を参照）。
【０２３１】
尚、調湿装置１０７の第１動作においては、休止中の第１吸着熱交換器１７１の吸着材が室内空気ＲＡと接触することで水分を吸着し、また、調湿装置１０７の第２動作においては、休止中の第２吸着熱交換器１７２の吸着材が室内空気ＲＡと接触することで水分を吸着する点が、第１実施形態の調湿装置７の第１動作及び第２動作と異なるが、他の点については第１実施形態の調湿装置７の第１動作及び第２動作と同様であるため、ここでは、詳細な説明を省略する（図１１、１２及び図２６参照）。
【０２３２】
（Ｃ）循環モードにおける冷房除湿運転
循環モードにおける冷房除湿運転は、調湿側冷媒回路１１０ｃを含む冷媒回路１１０の第１動作及び第２動作が、換気モードにおける冷房除湿運転の調湿側冷媒回路１１０ｃを含む冷媒回路１１０の第１動作及び第２動作と同様であり、また、第１実施形態の換気モードにおける除湿運転の第１動作及び第２動作と同様であるため、ここでは、説明を省略する（図１３、１４及び図２６を参照）。
【０２３３】
（Ｄ）循環モードにおける暖房加湿運転
循環モードにおける暖房加湿運転は、調湿側冷媒回路１１０ｃを含む冷媒回路１１０の第１動作及び第２動作が、換気モードにおける暖房加湿運転の調湿側冷媒回路１１０ｃを含む冷媒回路１１０の第１動作及び第２動作と同様であり、また、第１実施形態の換気モードにおける加湿運転の第１動作及び第２動作と同様であるため、ここでは、説明を省略する（図１５、１６及び図２７を参照）。
【０２３４】
（Ｅ）給気モードにおける冷房除湿運転
給気モードにおける冷房除湿運転は、調湿側冷媒回路１１０ｃを含む冷媒回路１１０の第１動作及び第２動作が、換気モードにおける冷房除湿運転の調湿側冷媒回路１１０ｃを含む冷媒回路１１０の第１動作及び第２動作と同様であり、また、第１実施形態の給気モードにおける除湿運転の第１動作及び第２動作と同様であるため、ここでは、説明を省略する（図１７、１８及び図２６を参照）。
【０２３５】
（Ｆ）給気モードにおける暖房加湿運転
給気モードにおける暖房加湿運転は、調湿側冷媒回路１１０ｃを含む冷媒回路１１０の第１動作及び第２動作が、換気モードにおける暖房加湿運転の調湿側冷媒回路１１０ｃを含む冷媒回路１０の第１動作及び第２動作と同様であり、また、第１実施形態の給気モードにおける加湿運転の第１動作及び第２動作と同様であるため、ここでは、説明を省略する（図１９、２０及び図２７を参照）。
【０２３６】
（Ｇ）排気モードにおける冷房除湿運転
排気モードにおける冷房除湿運転は、調湿側冷媒回路１１０ｃを含む冷媒回路１１０の第１動作及び第２動作が、換気モードにおける冷房除湿運転の調湿側冷媒回路１１０ｃを含む冷媒回路１１０の第１動作及び第２動作と同様であり、また、第１実施形態の排気モードにおける除湿運転の第１動作及び第２動作と同様であるため、ここでは、説明を省略する（図２１、２２及び図２６を参照）。
【０２３７】
（Ｈ）排気モードにおける暖房加湿運転
排気モードにおける暖房加湿運転は、調湿側冷媒回路１１０ｃを含む冷媒回路１１０の第１動作及び第２動作が、換気モードにおける暖房加湿運転の調湿側冷媒回路１１０ｃを含む冷媒回路１１０の第１動作及び第２動作と同様であるため、ここでは、説明を省略する（図２３、２４及び図２７を参照）。
【０２３８】
（６）調湿装置及びそれを備えた空気調和システムの特徴
本実施形態の調湿装置１０７及びそれを備えた空気調和システム１０１には、第１実施形態の調湿装置７及びそれを備えた空気調和システム１と同様な特徴とともに、以下のような特徴がある。
【０２３９】
（Ａ）
本実施形態の調湿装置１０７では、調湿用冷媒回路１１０ｃは、第１及び第２吸着熱交換器１７１、１７２のうち、第１空気を除湿する一方が蒸発器として機能し、第２空気を加湿する他方には冷媒が流入しないように、冷媒の流通方向が切換可能になっているため、蒸発器となっている吸着熱交換器では、通過する空気中の水分が吸着材に吸着され、その際に生じた吸着熱が冷媒に吸熱される。一方、冷媒が供給されない休止中の吸着熱交換器では、通過する空気と接触した吸着材から水分が脱離する。これにより、吸着熱交換器に対する冷媒の導入を断続するだけで吸着動作と再生動作の切り換えが可能となる。
【０２４０】
（Ｂ）
本実施形態の調湿装置１０７では、調湿用冷媒回路１１０ｃは、第１及び第２吸着熱交換器１７１、１７２のうち、第２空気を加湿する一方が凝縮器として機能し、第１空気を除湿する他方には冷媒が流入しないように、冷媒の流通方向が切換可能になっているため、冷媒が供給されない休止中の吸着熱交換器では、通過する空気中の水分を吸着材が吸着する。一方、凝縮器となっている吸着熱交換器では、冷媒によって加熱された吸着材から水分が脱離し、通過する空気に吸着材から脱離した水分が付与される。これにより、吸着熱交換器に対する冷媒の導入を断続するだけで吸着動作と再生動作の切り換えが可能となる。
【０２４１】
＜他の実施形態＞
以上、本発明の実施形態について図面に基づいて説明したが、具体的な構成は、これらの実施形態に限られるものではなく、発明の要旨を逸脱しない範囲で変更可能である。
【０２４２】
（Ａ）
上述の実施形態において、調湿側吸気ファン８９及び調湿側排気ファン９０は、調湿装置７、１０７のケーシング８１内に設置されているが、室外空気ＯＡを取り込むためのダクトや排気空気ＥＡを排出するためのダクトに設置されていてもよい。
【０２４３】
（Ｂ）
上述の実施形態の天井埋込型空気調和ユニット３、１０３では、温調吸気口（具体的には、吸気孔４７ｅ）がユニット本体４１の下面に設けられており、このようなユニット本体４１の下面に調湿装置７、１０７が設けられているが、温調吸気口（具体的には、吸気孔４７ｅ）がユニット本体の上面に設けられた天井埋込型空気調和ユニットを採用して、
このユニット本体の上面に、上述の調湿装置７、１０７の機器の一部を上下反対にしたような構成を有する調湿装置を設けるようにしてもよい。より具体的には、上述の調湿装置７、１０７において、第１及び第２調湿側給気口８２ａ、８２ｂ（開閉ダンパ９１ｅ、９１ｆも含む）を底板８４に設け、かつ、第１及び第２調湿側室内空気吸気口８４ａ、８４ｂを天板８２に設け、第１及び第２吸着熱交換器７１、７２の熱交換器室Ｓ１、Ｓ２内における傾斜方向を上下反対にして配置した構成を有する調湿装置を、ユニット本体の上面に設置するものである。
【０２４４】
この場合においても、上述の実施形態と同様、天井埋込型空気調和ユニットのユニット本体側面に設ける場合と比べてコンパクトに設置することができる。これにより、給水配管を設けることなく除加湿が可能で、かつ、コンパクトに天井埋込型空気調和ユニットに設けることが可能にできる。
【産業上の利用可能性】
【０２４５】
本発明を利用すれば、給水配管を設けることなく除加湿が可能で、かつ、コンパクトに天井埋込型空気調和ユニットに設けることが可能な調湿装置を提供することができる。
【図面の簡単な説明】
【０２４６】
【図１】本発明の第１実施形態にかかる調湿装置及びそれを備えた空気調和システムの冷媒回路構成を示す概略冷媒回路図である。
【図２】本発明の実施形態にかかる空気調和システムを構成する天井埋込型空気調和ユニット及び天井埋込型空気調和ユニットに設けられた調湿装置の外観斜視図である。
【図３】本発明の実施形態にかかる空気調和システムを構成する天井埋込型空気調和ユニット及び天井埋込型空気調和ユニットに設けられた調湿装置の概略側面断面図である。
【図４】本発明の実施形態にかかる空気調和システムを構成する天井埋込型空気調和ユニットの概略平面断面図である。
【図５】本発明の実施形態にかかる調湿装置のユニット構成を示す斜視図である。
【図６】本発明の実施形態にかかる調湿装置のユニット構成を示す概略構成図である。
【図７】本発明の第１実施形態にかかる空気調和システムの冷房除湿運転の第１動作及び第２動作を示す概略冷媒回路図である。
【図８】調湿装置の換気モードの除湿運転の第１動作における空気の流れを示す説明図である。
【図９】調湿装置の換気モードの除湿運転の第２動作における空気の流れを示す説明図である。
【図１０】本発明の第１実施形態にかかる空気調和システムの暖房加湿運転の第１動作及び第２動作を示す概略冷媒回路図である。
【図１１】調湿装置の換気モードの加湿運転の第１動作における空気の流れを示す説明図である。
【図１２】調湿装置の換気モードの加湿運転の第２動作における空気の流れを示す説明図である。
【図１３】調湿装置の循環モードの除湿運転の第１動作における空気の流れを示す説明図である。
【図１４】調湿装置の循環モードの除湿運転の第２動作における空気の流れを示す説明図である。
【図１５】調湿装置の循環モードの加湿運転の第１動作における空気の流れを示す説明図である。
【図１６】調湿装置の循環モードの加湿運転の第２動作における空気の流れを示す説明図である。
【図１７】調湿装置の給気モードの除湿運転の第１動作における空気の流れを示す説明図である。
【図１８】調湿装置の給気モードの除湿運転の第２動作における空気の流れを示す説明図である。
【図１９】調湿装置の給気モードの加湿運転の第１動作における空気の流れを示す説明図である。
【図２０】調湿装置の給気モードの加湿運転の第２動作における空気の流れを示す説明図である。
【図２１】調湿装置の排気モードの除湿運転の第１動作における空気の流れを示す説明図である。
【図２２】調湿装置の排気モードの除湿運転の第２動作における空気の流れを示す説明図である。
【図２３】調湿装置の排気モードの加湿運転の第１動作における空気の流れを示す説明図である。
【図２４】調湿装置の排気モードの加湿運転の第２動作における空気の流れを示す説明図である。
【図２５】本発明の第２実施形態にかかる調湿装置及びそれを備えた空気調和システムの冷媒回路構成を示す概略冷媒回路図である。
【図２６】本発明の第２実施形態にかかる空気調和システムの冷房除湿運転の第１動作及び第２動作を示す概略冷媒回路図である。
【図２７】本発明の第２実施形態にかかる空気調和システムの暖房加湿運転の第１動作及び第２動作を示す概略冷媒回路図である。
【符号の説明】
【０２４７】
１、１０１  空気調和システム
２、１０２  熱源ユニット
３、１０３  利用ユニット（天井埋込型空気調和ユニット）
５、６、１０５、１０６  冷媒連絡配管
７、１０７  調湿装置
１０、１１０  冷媒回路
１０ａ、１１０ａ  熱源側冷媒回路
１０ｂ、１１０ｂ  利用側冷媒回路
１０ｃ、１１０ｃ  調湿側冷媒回路
２１、１２１  圧縮機
２３、１２３  熱源側熱交換器
３２、１３２  利用側熱交換器
４６  温調側送風ファン
４７ｅ  吸気孔（温調側吸気口）
７１、７２、１７１、１７２  吸着熱交換器
８１  ケーシング（調湿装置ケーシング）
８１ｅ  調湿側吸気連通開口
８２ａ、８２ｂ  調湿側給気口
８４ａ、８４ｂ  調湿側室内空気吸気口（調湿側吸気口）
８５  調湿側室外空気吸気口
８６  調湿側排気口
８７ａ、８７ｂ  左側開口（流出側開口）
８８ａ、８８ｂ  右側開口（流入側開口）
８９  調湿側吸気ファン
９０  調湿側排気ファン
９１ａ〜９１ｆ  開閉ダンパ（開閉機構）
Ｓ１、Ｓ２  熱交換器室
Ｓ３  流入室
Ｓ４  流出室
【図１】
0004752429.tif 000002
【図２】
0004752429.tif 000003
【図３】
0004752429.tif 000004
【図４】
0004752429.tif 000005
【図５】
0004752429.tif 000006
【図６】
0004752429.tif 000007
【図７】
0004752429.tif 000008
【図８】
0004752429.tif 000009
【図９】
0004752429.tif 000010
【図１０】
0004752429.tif 000011
【図１１】
0004752429.tif 000012
【図１２】
0004752429.tif 000013
【図１３】
0004752429.tif 000014
【図１４】
0004752429.tif 000015
【図１５】
0004752429.tif 000016
【図１６】
0004752429.tif 000017
【図１７】
0004752429.tif 000018
【図１８】
0004752429.tif 000019
【図１９】
0004752429.tif 000020
【図２０】
0004752429.tif 000021
【図２１】
0004752429.tif 000022
【図２２】
0004752429.tif 000023
【図２３】
0004752429.tif 000024
【図２４】
0004752429.tif 000025
【図２５】
0004752429.tif 000026
【図２６】
0004752429.tif 000027
【図２７】
0004752429.tif 000028